(57)【特許請求の範囲】
【請求項１】
インプリント用モールドの凹凸形状の転写位置を変えながら複数回転写するための基板を複数の基板の中から選択するシステムであって、
前記複数の基板を収納する基板収納部と、
前記基板収納部に収納された複数の基板の中から前記転写に適した基板を選択するための制御装置と
を備え、
前記制御装置は、前記基板収納部に収納された各基板の一方面の平坦度に関する平坦度データ及び前記基板収納部に収納された複数の基板のそれぞれに関する基板固有データを関連付けて記憶する基板関連データ記憶部と、
前記インプリント用モールドの凹凸形状が転写される転写予定領域が複数配列されてなるインプリント予定領域に関するインプリント予定領域データ及び前記平坦度データに基づいて、前記インプリント予定領域に含まれる転写予定領域数と同回数の転写が可能な基板を前記転写に適した基板として選択する第１の基板選択部と
を有することを特徴とするインプリント用基板選択システム。
【請求項２】
前記平坦度データには、前記基板収納部に収納された基板の一方面の平坦度が不良である領域に関する平坦度不良領域データが含まれ、
前記制御装置は、前記平坦度不良領域データ及び前記インプリント予定領域データに基づいて、前記一方面の平坦度不良領域と前記インプリント予定領域とが重なるか否かを判定する重なり判定部をさらに有し、
前記第１の基板選択部は、前記一方面の平坦度不良領域と前記インプリント予定領域とが重ならないと前記重なり判定部により判定された基板を選択することを特徴とする請求項１に記載のインプリント用基板選択システム。
【請求項３】
前記制御装置は、前記インプリント予定領域を前記基板に対して相対的に回転させた状態での転写が可能であるか否かに関する回転可否データを記憶する回転可否データ記憶部をさらに有し、
前記重なり判定部は、前記一方面の平坦度不良領域と前記インプリント予定領域とが重なると判定した場合に、前記回転可否データ、前記平坦度不良領域データ及び前記インプリント予定領域データに基づいて、前記インプリント予定領域を前記基板に対して相対的に回転させたときに前記一方面の平坦度不良領域と前記インプリント予定領域とが重なるか否かをさらに判定し、
前記第１の基板選択部は、前記インプリント予定領域を前記基板に対して相対的に回転させたときに前記一方面の平坦度不良領域と前記インプリント予定領域とが重ならないと前記重なり判定部により判定された基板を選択することを特徴とする請求項２に記載のインプリント用基板選択システム。
【請求項４】
前記制御装置は、前記インプリント予定領域を前記基板に対して相対的に移動させた状態での転写が可能であるか否かに関する移動可否データを記憶する移動可否データ記憶部をさらに有し、
前記重なり判定部は、前記一方面の平坦度不良領域と前記インプリント予定領域とが重なると判定した場合に、前記移動可否データ、前記平坦度不良領域データ及び前記インプリント予定領域データに基づいて、前記インプリント予定領域を前記基板に対して相対的に移動させたときに前記一方面の平坦度不良領域と前記インプリント予定領域とが重なるか否かをさらに判定し、
前記第１の基板選択部は、前記インプリント予定領域を前記基板に対して相対的に移動させたときに前記一方面の平坦度不良領域と前記インプリント予定領域とが重ならないと前記重なり判定部により判定された基板を選択することを特徴とする請求項２に記載のインプリント用基板選択システム。
【請求項５】
前記制御装置は、前記インプリント予定領域を前記基板に対して相対的に回転させた状態での転写が可能であるか否かに関する回転可否データを記憶する回転可否データ記憶部と、前記インプリント予定領域を前記基板に対して相対的に移動させた状態での転写が可能であるか否かに関する移動可否データを記憶する移動可否データ記憶部とをさらに有し、
前記重なり判定部は、前記一方面の平坦度不良領域と前記インプリント予定領域とが重なると判定した場合に、前記回転可否データ、前記移動可否データ、前記平坦度不良領域データ及び前記インプリント予定領域データに基づいて、前記インプリント予定領域を前記基板に対して相対的に回転させ、かつ移動させたときに前記一方面の平坦度不良領域と前記インプリント予定領域とが重なるか否かをさらに判定し、
前記第１の基板選択部は、前記インプリント予定領域を前記基板に対して相対的に回転させ、かつ移動させたときに前記一方面の平坦度不良領域と前記インプリント予定領域とが重ならないと前記重なり判定部により判定された基板を選択することを特徴とする請求項２に記載のインプリント用基板選択システム。
【請求項６】
前記制御装置は、前記基板の他方面への転写が可能であるか否かに関する他方面転写可否データを記憶する他方面転写可否データ記憶部をさらに有し、
前記平坦度不良領域データには、前記基板の他方面の平坦度不良領域に関する他方面平坦度不良領域データが含まれ、
前記重なり判定部は、前記一方面の平坦度不良領域と前記インプリント予定領域とが重なると判定した場合に、前記他方面転写可否データ、前記他方面平坦度不良領域データ及び前記インプリント予定領域データに基づいて、前記他方面の平坦度不良領域と前記インプリント予定領域とが重なるか否かをさらに判定し、
前記第１の基板選択部は、前記他方面の平坦度不良領域と前記インプリント予定領域とが重ならないと前記重なり判定部により判定された基板を選択することを特徴とする請求項２に記載のインプリント用基板選択システム。
【請求項７】
前記制御装置は、前記インプリント予定領域を前記基板に対して相対的に回転させた状態での転写が可能であるか否かに関する回転可否データを記憶する回転可否データ記憶部をさらに有し、
前記重なり判定部は、前記他方面の平坦度不良領域と前記インプリント予定領域とが重なると判定した場合に、前記回転可否データ、前記他方面平坦度不良領域データ及び前記インプリント予定領域データに基づいて、前記インプリント予定領域を前記基板に対して相対的に回転させたときに前記他方面の平坦度不良領域と前記インプリント予定領域とが重なるか否かをさらに判定し、
前記第１の基板選択部は、前記インプリント予定領域を前記基板に対して相対的に回転させたときに前記他方面の平坦度不良領域と前記インプリント予定領域とが重ならないと前記重なり判定部により判定された基板を選択することを特徴とする請求項６に記載のインプリント用基板選択システム。
【請求項８】
前記制御装置は、前記インプリント予定領域を前記基板に対して相対的に移動させた状態での転写が可能であるか否かに関する移動可否データを記憶する移動可否データ記憶部をさらに有し、
前記重なり判定部は、前記他方面の平坦度不良領域と前記インプリント予定領域とが重なると判定した場合に、前記移動可否データ、前記他方面平坦度不良領域データ及び前記インプリント予定領域データに基づいて、前記インプリント予定領域を前記基板に対して相対的に移動させたときに前記他方面の平坦度不良領域と前記インプリント予定領域とが重なるか否かをさらに判定し、
前記第１の基板選択部は、前記インプリント予定領域を前記基板に対して相対的に移動させたときに前記他方面の平坦度不良領域と前記インプリント予定領域とが重ならないと前記重なり判定部により判定された基板を選択することを特徴とする請求項６に記載のインプリント用基板選択システム。
【請求項９】
前記制御装置は、前記インプリント予定領域を前記基板に対して相対的に回転させた状態での転写が可能であるか否かに関する回転可否データを記憶する回転可否データ記憶部と、前記インプリント予定領域を前記基板に対して相対的に移動させた状態での転写が可能であるか否かに関する移動可否データを記憶する移動可否データ記憶部とをさらに有し、
前記重なり判定部は、前記他方面の平坦度不良領域と前記インプリント予定領域とが重なると判定した場合に、前記回転可否データ、前記移動可否データ、前記他方面平坦度不良領域データ及び前記インプリント予定領域データに基づいて、前記インプリント予定領域を前記基板に対して相対的に回転させ、かつ移動させたときに前記他方面の平坦度不良領域と前記インプリント予定領域とが重なるか否かをさらに判定し、
前記第１の基板選択部は、前記インプリント予定領域を前記基板に対して相対的に回転させ、かつ移動させたときに前記他方面の平坦度不良領域と前記インプリント予定領域とが重ならないと前記重なり判定部により判定された基板を選択することを特徴とする請求項６に記載のインプリント用基板選択システム。
【請求項１０】
前記制御装置は、
前記複数の転写予定領域の一部を前記基板に対して相対的に移動させた状態での転写が可能であるか否かに関する一部移動可否データを記憶する一部移動可否データ記憶部と、
前記一部移動可否データに基づいて、前記基板上における前記インプリント予定領域以外の領域に、前記転写予定領域と同一の大きさを有する領域であって、前記複数の転写予定領域の一部を移動させ得る移動予定領域を少なくとも１つ含む移動予定領域群を設定する移動予定領域群設定部と、
前記移動予定領域群に含まれる移動予定領域のうち、前記重なり判定部により前記インプリント予定領域に重なると判定された前記平坦度不良領域以外の平坦度不良領域と重ならない移動予定領域の数を算出する移動予定領域数算出部と、
前記重なり判定部により前記平坦度不良領域と前記インプリント予定領域とが重なると判定された場合に、当該平坦度不良領域に重なる前記転写予定領域を特定する重なり転写予定領域特定部と
をさらに有し、
前記第１の基板選択部は、前記重なり転写予定領域特定部により特定された前記転写予定領域の数が、前記移動予定領域数算出部により算出された移動予定領域数以下である基板を選択することを特徴とする請求項２に記載のインプリント用基板選択システム。
【請求項１１】
前記制御装置は、
前記インプリント予定領域に含まれる前記転写予定領域のうち、前記平坦度不良領域と重なる転写予定領域の個数を算出する重なり転写予定領域数算出部と、
前記重なり転写予定領域数算出部により算出された前記重なり転写予定領域数に応じて優先順位データを生成する優先順位データ生成部と、
前記インプリント用モールドの凹凸形状の転写により製造されるデバイスの製造予定数に関するデータを記憶する製造予定デバイス数データ記憶部と、
前記基板収納部に収納されたすべての基板の中から前記第１の基板選択部により選択された基板の枚数と前記インプリント予定領域に含まれる転写予定領域数との積が、前記製造予定デバイス数未満であるときに、前記優先順位データに基づいて、前記インプリント予定領域に含まれる転写予定領域数と同回数の転写が不可能な基板の中から一の基板を選択する第２の基板選択部と
をさらに有することを特徴とする請求項２〜１０のいずれかに記載のインプリント用基板選択システム。
【請求項１２】
前記制御装置は、
前記インプリント予定領域に含まれる前記転写予定領域のうち、前記平坦度不良領域と重なる転写予定領域の個数を算出する重なり転写予定領域数算出部と、
前記インプリント用モールドの凹凸形状の転写により製造されるデバイスの製造予定数に関するデータを記憶する製造予定デバイス数データ記憶部と、
前記基板収納部に収納されたすべての基板の中から前記第１の基板選択部により選択された基板の枚数と前記インプリント予定領域に含まれる転写予定領域数との積が、前記製造予定デバイス数未満であるときに、前記基板枚数と前記転写予定領域数との積及び前記製造予定デバイス数の差分、並びに前記重なり転写予定領域数算出部により算出された前記重なり転写予定領域数に基づいて、前記インプリント予定領域に含まれる転写予定領域数と同回数の転写が不可能な基板の中から一の基板を選択する第２の基板選択部と
をさらに有することを特徴とする請求項２〜１０のいずれかに記載のインプリント用基板選択システム。
【請求項１３】
インプリント用モールドの凹凸形状の転写位置を変えながら複数回転写するための基板を複数の基板の中から選択する制御装置において実行されるインプリント用基板選択プログラムであって、
前記制御装置は、前記基板の一方面の平坦度が不良である領域に関する平坦度不良領域データを記憶する基板関連データ記憶部と、前記インプリント用モールドの凹凸形状が転写される転写予定領域が複数配列されてなるインプリント予定領域に関するデータを記憶するインプリント予定領域データ記憶部とを備え、
前記基板関連データ記憶部から読み出された前記平坦度不良領域データと、前記インプリント予定領域データ記憶部から読み出された前記インプリント予定領域データとに基づいて、前記一方面の平坦度不良領域と前記インプリント予定領域とが重なるか否かを判定する第１の重なり判定ステップと、
前記インプリント予定領域に含まれる前記転写予定領域数と同回数の転写が可能な基板を選択する第１の基板選択ステップと
を前記制御装置に実行させ、
前記第１の基板選択ステップにおいて、前記第１の重なり判定ステップにより前記平坦度不良領域と前記インプリント予定領域とが重ならないと判定された基板を、前記インプリント予定領域に含まれる前記転写予定領域数と同回数の転写が可能な基板として選択することを特徴とするインプリント用基板選択プログラム。
【請求項１４】
前記制御装置は、前記インプリント予定領域を前記基板に対して相対的に回転させた状態での転写が可能であるか否かに関する回転可否データを記憶する回転可否データ記憶部をさらに備え、
前記第１の重なり判定ステップにより前記一方面の平坦度不良領域と前記インプリント予定領域とが重なると判定された場合に、前記回転可否データ記憶部から読み出された回転可否データ、前記基板関連データ記憶部から読み出された前記平坦度不良領域データ及び前記インプリント予定領域データ記憶部から読み出された前記インプリント予定領域データに基づいて、前記インプリント予定領域を前記基板に対して相対的に回転させたときに前記一方面の平坦度不良領域と前記インプリント予定領域とが重なるか否かを判定する第２の重なり判定ステップを前記制御装置に実行させ、
前記第１の基板選択ステップにおいて、前記第２の重なり判定ステップにより前記平坦度不良領域と前記インプリント予定領域とが重ならないと判定された基板を、前記インプリント予定領域に含まれる前記転写予定領域数と同回数の転写が可能な基板として選択することを特徴とする請求項１３に記載のインプリント用基板選択プログラム。
【請求項１５】
前記制御装置は、前記インプリント予定領域を前記基板に対して相対的に移動させた状態での転写が可能であるか否かに関する移動可否データを記憶する移動可否データ記憶部をさらに有し、
前記第１の重なり判定ステップにより前記一方面の平坦度不良領域と前記インプリント予定領域とが重なると判定された場合に、前記移動可否データ記憶部から読み出された移動可否データ、前記基板関連データ記憶部から読み出された前記平坦度不良領域データ及び前記インプリント予定領域データ記憶部から読み出された前記インプリント予定領域データに基づいて、前記インプリント予定領域を前記基板に対して相対的に移動させたときに前記一方面の平坦度不良領域と前記インプリント予定領域とが重なるか否かを判定する第３の重なり判定ステップを前記制御装置に実行させ、
前記第１の基板選択ステップにおいて、前記第３の重なり判定ステップにより前記平坦度不良領域と前記インプリント予定領域とが重ならないと判定された基板を、前記インプリント予定領域に含まれる前記転写予定領域数と同回数の転写が可能な基板として選択することを特徴とする請求項１３に記載のインプリント用基板選択プログラム。
【請求項１６】
前記制御装置は、前記インプリント予定領域を前記基板に対して相対的に回転させた状態での転写が可能であるか否かに関する回転可否データを記憶する回転可否データ記憶部と、前記インプリント予定領域を前記基板に対して相対的に移動させた状態での転写が可能であるか否かに関する移動可否データを記憶する移動可否データ記憶部とをさらに有し、
前記第１の重なり判定ステップにより前記一方面の平坦度不良領域と前記インプリント予定領域とが重なると判定された場合に、前記回転可否データ記憶部から読み出された回転可否データ、前記移動可否データ記憶部から読み出された移動可否データ、前記基板関連データ記憶部から読み出された平坦度不良領域データ及び前記インプリント予定領域データ記憶部から読み出されたインプリント予定領域データに基づいて、前記インプリント予定領域を前記基板に対して相対的に回転させ、かつ移動させたときに前記一方面の平坦度不良領域と前記インプリント予定領域とが重なるか否かを判定する第４の重なり判定ステップを前記制御装置に実行させ、
前記第１の基板選択ステップにおいて、前記第４の重なり判定ステップにより前記平坦度不良領域と前記インプリント予定領域とが重ならないと判定された基板を、前記インプリント予定領域に含まれる前記転写予定領域数と同回数の転写が可能な基板として選択することを特徴とする請求項１３に記載のインプリント用基板選択プログラム。
【請求項１７】
前記制御装置は、前記基板の他方面への転写が可能であるか否かに関する他方面転写可否データを記憶する他方面転写可否データ記憶部をさらに有し、
前記平坦度不良領域データには、前記基板の他方面の平坦度不良領域に関する他方面平坦度不良領域データが含まれ、
前記第１の重なり判定ステップにより前記一方面の平坦度不良領域と前記インプリント予定領域とが重なると判定された場合に、前記他方面転写可否データ記憶部から読み出された他方面転写可否データ、前記基板関連データ記憶部から読み出された前記他方面平坦度不良領域データ及び前記インプリント予定領域データ記憶部から読み出された前記インプリント予定領域データに基づいて、前記他方面の平坦度不良領域と前記インプリント予定領域とが重なるか否かを判定する第５の重なり判定ステップを前記制御装置に実行させ、
前記第１の基板選択ステップにおいて、前記第５の重なり判定ステップにより前記平坦度不良領域と前記インプリント予定領域とが重ならないと判定された基板を、前記インプリント予定領域に含まれる前記転写予定領域数と同回数の転写が可能な基板として選択することを特徴とする請求項１３に記載のインプリント用基板選択プログラム。
【請求項１８】
前記制御装置は、前記インプリント予定領域を前記基板に対して相対的に回転させた状態での転写が可能であるか否かに関する回転可否データを記憶する回転可否データ記憶部をさらに備え、
前記第５の重なり判定ステップにより前記他方面の平坦度不良領域と前記インプリント予定領域とが重なると判定された場合に、前記回転可否データ記憶部から読み出された回転可否データ、前記基板関連データ記憶部から読み出された他方面平坦度不良領域データ及び前記インプリント予定領域データ記憶部から読み出されたインプリント予定領域データに基づいて、前記インプリント予定領域を前記基板に対して相対的に回転させたときに前記他方面の平坦度不良領域と前記インプリント予定領域とが重なるか否かを判定する第６の重なり判定ステップを前記制御装置に実行させ、
前記第１の基板選択ステップにおいて、前記第６の重なり判定ステップにより前記平坦度不良領域と前記インプリント予定領域とが重ならないと判定された基板を、前記インプリント予定領域に含まれる前記転写予定領域数と同回数の転写が可能な基板として選択することを特徴とする請求項１７に記載のインプリント用基板選択プログラム。
【請求項１９】
前記制御装置は、前記インプリント予定領域を前記基板に対して相対的に移動させた状態での転写が可能であるか否かに関する移動可否データを記憶する移動可否データ記憶部をさらに有し、
前記第５の重なり判定ステップにより前記他方面の平坦度不良領域と前記インプリント予定領域とが重なると判定された場合に、前記移動可否データ記憶部から読み出された移動可否データ、前記基板関連データ記憶部から読み出された他方面平坦度不良領域データ及び前記インプリント予定領域データ記憶部から読み出されたインプリント予定領域データに基づいて、前記インプリント予定領域を前記基板に対して相対的に移動させたときに前記他方面の平坦度不良領域と前記インプリント予定領域とが重なるか否かを判定する第７の重なり判定ステップを前記制御装置に実行させ、
前記第１の基板選択ステップにおいて、前記第７の重なり判定ステップにより前記平坦度不良領域と前記インプリント予定領域とが重ならないと判定された基板を、前記インプリント予定領域に含まれる前記転写予定領域数と同回数の転写が可能な基板として選択することを特徴とする請求項１７に記載のインプリント用基板選択プログラム。
【請求項２０】
前記制御装置は、前記インプリント予定領域を前記基板に対して相対的に回転させた状態での転写が可能であるか否かに関する回転可否データを記憶する回転可否データ記憶部と、前記インプリント予定領域を前記基板に対して相対的に移動させた状態での転写が可能であるか否かに関する移動可否データを記憶する移動可否データ記憶部とをさらに有し、
前記第５の重なり判定ステップにより前記他方面の平坦度不良領域と前記インプリント予定領域とが重なると判定された場合に、前記回転可否データ記憶部から読み出された回転可否データ、前記移動可否データ記憶部から読み出された移動可否データ、前記基板関連データ記憶部から読み出された他方面平坦度不良領域データ及び前記インプリント予定領域データ記憶部から読み出されたインプリント予定領域データに基づいて、前記インプリント予定領域を前記基板に対して相対的に回転させ、かつ移動させたときに前記他方面の平坦度不良領域と前記インプリント予定領域とが重なるか否かを判定する第８の重なり判定ステップを前記制御装置に実行させ、
前記第１の基板選択ステップにおいて、前記第８の重なり判定ステップにより前記平坦度不良領域と前記インプリント予定領域とが重ならないと判定された基板を、前記インプリント予定領域に含まれる前記転写予定領域数と同回数の転写が可能な基板として選択することを特徴とする請求項１７に記載のインプリント用基板選択プログラム。
【請求項２１】
前記制御装置は、前記複数の転写予定領域の一部を前記基板に対して相対的に移動させた状態での転写が可能であるか否かに関する一部移動可否データを記憶する一部移動可否データ記憶部をさらに有し、
前記平坦度不良領域と前記インプリント予定領域とが重なると判定された場合に、前記一部移動可否データに基づいて、前記基板上における前記インプリント予定領域以外の領域に、前記転写予定領域と同一の大きさを有する領域であって、前記複数の転写予定領域の一部を移動させ得る移動予定領域を少なくとも１つ含む移動予定領域群を設定する移動予定領域群設定ステップと、
前記移動予定領域群に含まれる移動予定領域のうち、前記インプリント予定領域に重なると判定された前記平坦度不良領域以外の平坦度不良領域と重ならない移動予定領域の数を算出する移動予定領域数算出ステップと、
前記平坦度不良領域と前記インプリント予定領域とが重なると判定された場合に、当該平坦度不良領域に重なる前記転写予定領域を特定する重なり転写予定領域特定ステップと
を前記制御装置に実行させ、
前記第１の基板選択ステップにおいて、前記重なり転写予定領域特定ステップにより特定された前記転写予定領域の数が、前記移動予定領域数算出ステップにより算出された移動予定領域数以下である基板を、前記インプリント予定領域に含まれる前記転写予定領域数と同回数の転写が可能な基板として選択することを特徴とする請求項１３に記載のインプリント用基板選択プログラム。
【請求項２２】
前記制御装置は、前記インプリント用モールドの凹凸形状の転写により製造されるデバイスの製造予定数に関するデータを記憶する製造予定デバイス数データ記憶部をさらに有し、
前記第１の基板選択ステップにより前記インプリント予定領域に含まれる前記転写予定領域数と同回数の転写が可能な基板が選択されなかった場合に、前記平坦度不良領域と重なる前記転写予定領域の個数を算出する重なり転写予定領域数算出ステップと、
前記重なり転写予定領域数算出ステップにより算出された前記転写予定領域の個数に応じて優先順位データを生成する優先順位データ生成ステップと、
前記第１の基板選択ステップにより選択された基板の枚数と前記インプリント予定領域に含まれる転写予定領域数との積が、前記製造予定デバイス数未満であるときに、前記優先順位データ生成ステップにより生成された優先順位データに基づいて、前記インプリント予定領域に含まれる転写予定領域数と同回数の転写が不可能な基板の中から一の基板を選択する第２の基板選択ステップと
を前記制御装置に実行させることを特徴とする請求項１３〜２１のいずれかに記載のインプリント用基板選択プログラム。
【請求項２３】
前記制御装置は、前記インプリント用モールドの凹凸形状の転写により製造されるデバイスの製造予定数に関するデータを記憶する製造予定デバイス数データ記憶部をさらに有し、
前記第１の基板選択ステップにより前記インプリント予定領域に含まれる前記転写予定領域数と同回数の転写が可能な基板が選択されなかった場合に、前記平坦度不良領域と重なる前記転写予定領域の個数を算出する重なり転写予定領域数算出ステップと、
前記第１の基板選択ステップにより選択された基板の枚数と前記インプリント予定領域に含まれる転写予定領域数との積が、前記製造予定デバイス数未満であるときに、前記基板枚数と前記転写予定領域数との積及び前記製造予定デバイス数の差分、並びに前記重なり転写予定領域数算出ステップにより算出された前記重なり転写予定領域数に基づいて、前記インプリント予定領域に含まれる転写予定領域数と同回数の転写が不可能な基板の中から一の基板を選択する第２の基板選択ステップと
を前記制御装置に実行させることを特徴とする請求項１３〜２１のいずれかに記載のインプリント用基板選択プログラム。
【請求項２４】
請求項１３〜２３のいずれかに記載のインプリント用基板選択プログラムを格納した記録媒体。
【請求項２５】
請求項１〜１２のいずれかに記載のインプリント用基板選択システムと、
前記インプリント用基板選択システムにより選択された基板に対し、インプリント用モールドの凹凸形状を、転写位置を変えながら複数回転写するインプリント装置と
を備え、
前記制御装置は、前記平坦度データと前記インプリント予定領域データとに基づいて、前記インプリント用モールドの凹凸形状を転写する前記選択された基板上の領域を設定するインプリント領域設定部をさらに有し、前記インプリント領域設定部により設定されたインプリント領域に転写位置を変えながら前記インプリント用モールドの凹凸形状が複数回転写されるように、前記インプリント装置を制御することを特徴とするインプリントシステム。
【請求項２６】
転写位置を変えながらインプリント用モールドの凹凸形状を複数回転写するための基板を複数の基板の中から選択する方法であって、
前記基板の一方面の平坦度が不良である領域と前記インプリント用モールドの凹凸形状が転写される転写予定領域が複数配列されてなるインプリント予定領域とが重なるか否かを判定する第１の重なり判定工程と、
前記インプリント予定領域に含まれる前記転写予定領域数と同回数の転写が可能な基板を選択する第１の基板選択工程と
を含み、
前記第１の基板選択工程において、前記第１の重なり判定工程により前記一方面の平坦度不良領域と前記インプリント予定領域とが重ならないと判定された基板を、前記インプリント予定領域に含まれる前記転写予定領域数と同回数の転写が可能な基板として選択することを特徴とするインプリント用基板選択方法。
【請求項２７】
前記第１の重なり判定工程において前記一方面の平坦度不良領域と前記インプリント予定領域とが重なると判定され、かつ前記インプリント予定領域を前記基板に対して相対的に回転させた状態での転写が可能である場合に、前記インプリント予定領域を前記基板に対して相対的に回転させたときに前記一方面の平坦度不良領域と前記インプリント予定領域とが重なるか否かを判定する第２の重なり判定工程をさらに含み、
前記第１の基板選択工程において、前記第２の重なり判定工程により前記基板と前記インプリント予定領域とが重ならないと判定された基板を、前記インプリント予定領域に含まれる前記転写予定領域数と同回数の転写が可能な基板として選択することを特徴とする請求項２６に記載のインプリント用基板選択方法。
【請求項２８】
前記第１の重なり判定工程において前記基板の一方面の平坦度不良領域と前記インプリント予定領域とが重なると判定され、かつ前記インプリント予定領域を前記基板に対して相対的に移動させた状態での転写が可能である場合に、前記インプリント予定領域を前記基板に対して相対的に移動させたときに前記一方面の平坦度不良領域と前記インプリント予定領域とが重なるか否かを判定する第３の重なり判定工程をさらに含み、
前記第１の基板選択工程において、前記第３の重なり判定工程により前記一方面の平坦度不良領域と前記インプリント予定領域とが重ならないと判定された基板を、前記インプリント予定領域に含まれる前記転写予定領域数と同回数の転写が可能な基板として選択することを特徴とする請求項２６に記載のインプリント用基板選択方法。
【請求項２９】
前記第１の重なり判定工程において前記一方面の平坦度不良領域と前記インプリント予定領域とが重なると判定され、前記インプリント予定領域を前記基板に対して相対的に回転させ、かつ移動させた状態での転写が可能である場合に、前記インプリント予定領域を前記基板に対して相対的に回転させ、かつ移動させたときに前記一方面の平坦度不良領域と前記インプリント予定領域とが重なるか否かを判定する第４の重なり判定工程をさらに含み、
前記第１の基板選択工程において、前記第４の重なり判定工程により前記一方面の平坦度不良領域と前記インプリント予定領域とが重ならないと判定された基板を、前記インプリント予定領域に含まれる前記転写予定領域数と同回数の転写が可能な基板として選択することを特徴とする請求項２６に記載のインプリント用基板選択方法。
【請求項３０】
前記第１の重なり判定工程において前記一方面の平坦度不良領域と前記インプリント予定領域とが重なると判定され、かつ前記基板の他方面を用いた転写が可能である場合に、前記基板の他方面側の平坦度不良領域と前記複数の転写予定領域のそれぞれとが重なるか否かを判定する第５の重なり判定工程をさらに含み、
前記第１の基板選択工程において、前記第５の重なり判定工程により前記他方面の平坦度不良領域と前記インプリント予定領域とが重ならないと判定された基板を、前記インプリント予定領域に含まれる前記転写予定領域数と同回数の転写が可能な基板として選択することを特徴とする請求項２６に記載のインプリント用基板選択方法。
【請求項３１】
前記第５の重なり判定工程において前記他方面の平坦度不良領域と前記インプリント予定領域とが重なると判定され、かつ前記インプリント予定領域を前記基板に対して相対的に回転させた状態での転写が可能である場合に、前記インプリント予定領域を前記基板に対して相対的に回転させたときに前記他方面の平坦度不良領域と前記インプリント予定領域とが重なるか否かを判定する第６の重なり判定工程をさらに含み、
前記第１の基板選択工程において、前記第６の重なり判定工程により前記インプリント予定領域を前記基板に対して相対的に回転させたときに前記他方面の平坦度不良領域と前記インプリント予定領域とが重ならないと判定された基板を、前記インプリント予定領域に含まれる前記転写予定領域数と同回数の転写が可能な基板として選択することを特徴とする請求項３０に記載のインプリント用基板選択方法。
【請求項３２】
前記第５の重なり判定工程において前記他方面の平坦度不良領域と前記インプリント予定領域とが重なると判定され、かつ前記インプリント予定領域を前記基板に対して相対的に移動した状態での転写が可能である場合に、前記インプリント予定領域を前記基板に対して相対的に移動させたときに前記他方面の平坦度不良領域と前記インプリント予定領域とが重なるか否かを判定する第７の重なり判定工程をさらに含み、
前記第１の基板選択工程において、前記第７の重なり判定工程により前記インプリント予定領域を前記基板に対して相対的に移動させたときに前記他方面の平坦度不良領域と前記インプリント予定領域とが重ならないと判定された基板を、前記インプリント予定領域に含まれる前記転写予定領域数と同回数の転写が可能な基板として選択することを特徴とする請求項３０に記載のインプリント用基板選択方法。
【請求項３３】
前記第５の重なり判定工程において前記他方面の平坦度不良領域と前記インプリント予定領域とが重なると判定され、前記インプリント予定領域を前記基板に対して相対的に回転させ、かつ移動させた状態での転写が可能である場合に、前記インプリント予定領域を前記基板に対して相対的に回転させ、かつ移動させたときに前記他方面の平坦度不良領域と前記インプリント予定領域とが重なるか否かを判定する第８の重なり判定工程をさらに含み、
前記第１の基板選択工程において、前記第８の重なり判定工程により前記他方面の平坦度不良領域と前記インプリント予定領域とが重ならないと判定された基板を、前記インプリント予定領域に含まれる前記転写予定領域数と同回数の転写が可能な基板として選択することを特徴とする請求項３０に記載のインプリント用基板選択方法。
【請求項３４】
前記平坦度不良領域と前記インプリント予定領域とが重なると判定された場合に、前記一部移動可否データに基づいて、前記基板上における前記インプリント予定領域以外の領域に、前記転写予定領域と同一の大きさを有する領域であって、前記複数の転写予定領域の一部を移動させ得る移動予定領域を少なくとも１つ含む移動予定領域群を設定する移動予定領域群設定工程と、
前記移動予定領域群に含まれる移動予定領域のうち、前記インプリント予定領域に重なると判定された前記平坦度不良領域以外の平坦度不良領域と重ならない移動予定領域の数を算出する移動予定領域数算出工程と、
前記平坦度不良領域と前記インプリント予定領域とが重なると判定された場合に、当該平坦度不良領域に重なる前記転写予定領域を特定する重なり転写予定領域特定工程と
を含み、
前記第１の基板選択工程において、前記重なり転写予定領域特定工程により特定された前記転写予定領域の数が、前記移動予定領域数算出工程により算出された移動予定領域数以下である基板を、前記インプリント予定領域に含まれる前記転写予定領域数と同回数の転写が可能な基板として選択することを特徴とする請求項２６に記載の基板選択方法。
【請求項３５】
前記第１の基板選択工程により前記インプリント予定領域に含まれる前記転写予定領域数と同回数の転写が可能な基板が選択されなかった場合に、前記平坦度不良領域と重なる前記転写予定領域の個数を算出する重なり転写予定領域数算出工程と、
前記重なり転写予定領域数算出工程により算出された前記転写予定領域の個数に基づいて優先順位を付与する優先順位付与工程と、
前記複数の基板の中から前記第１の基板選択工程により選択された基板の枚数と前記インプリント予定領域に含まれる転写予定領域数との積が、前記インプリント用モールドの凹凸形状の転写により製造されるデバイスの製造予定数未満であるときに、前記優先順位付与工程により付与された優先順位に基づいて、前記インプリント予定領域に含まれる転写予定領域数と同回数の転写が不可能な基板の中から一の基板を選択する第２の基板選択工程と
をさらに含むことを特徴とする請求項２６〜３４のいずれかに記載のインプリント用基板選択方法。
【請求項３６】
前記第１の基板選択工程により前記インプリント予定領域に含まれる前記転写予定領域数と同回数の転写が可能な基板が選択されなかった場合に、前記平坦度不良領域と重なる前記転写予定領域の個数を算出する重なり転写予定領域数算出工程と、
前記複数の基板の中から前記第１の基板選択工程により選択された基板の枚数と前記インプリント予定領域に含まれる転写予定領域数との積が、前記インプリント用モールドの凹凸形状の転写により製造されるデバイスの製造予定数未満であるときに、前記基板枚数と前記転写予定領域数との積及び前記製造予定デバイス数の差分、並びに前記重なり転写予定領域数算出工程により算出された前記重なり転写予定領域数に基づいて、前記インプリント予定領域に含まれる転写予定領域数と同回数の転写が不可能な基板の中から一の基板を選択する第２の基板選択工程と
をさらに含むことを特徴とする請求項２６〜３４のいずれかに記載のインプリント用基板選択方法。
【請求項３７】
請求項２６〜３６のいずれかに記載のインプリント用基板選択方法により選択された基板上における、前記インプリント用モールドの凹凸形状を転写する領域を設定するインプリント領域設定工程と、
インプリント装置を用いて、前記選択された基板に対しインプリント用モールドの凹凸形状を前記インプリント領域に転写位置を変えながら複数回転写する転写工程と
を含むことを特徴とするインプリント方法。
【発明の詳細な説明】
【技術分野】
【０００１】
本発明は、インプリント用基板選択システム、インプリント用基板選択プログラム、インプリントシステム、インプリント用基板選択方法及びインプリント方法に関する。
【背景技術】
【０００２】
近年、半導体デバイス等の製造工程における微細加工技術として、非常に微細な構造を形成可能であり、かつ低コストのパターン形成方法であるインプリント法に注目が集まっている。インプリント法は、シリコンウェハ、ガラスプレート等の基板上に樹脂を離散的に滴下し、又はスピンコート法等により塗布し、基材の表面に微細な凹凸パターンを形成してなるモールドを基板上に塗布した樹脂に押し付け、当該樹脂を硬化させた後にモールドを剥離することで、基板上の樹脂にモールドの凹凸パターンを等倍転写するパターン形成方法である（特許文献１参照）。
【先行技術文献】
【特許文献】
【０００３】
【特許文献１】米国特許第５，７７２，９０５号
【発明の概要】
【発明が解決しようとする課題】
【０００４】
このようなインプリント法において用いられる基板は、少なくともその一方面（被転写面）が研磨されているため、被転写面の平坦度は良好なものであるが、部分的に平坦度の不良な領域（キズや異物の付着により微細な凹凸を有する領域を含む。）が存在するものもある。例えば、モールドを押し付けることにより基板上に離散的に滴下された樹脂を押し広げながら当該樹脂に凹凸パターンを転写する場合に、かかる平坦度の不良な領域と、モールドの凹凸パターンを転写しようとする領域とが重なると、平坦度の不良な領域において樹脂の広がりが停滞したり、モールドにかかる圧力が不均一になり樹脂の広がりにムラが生じたりする。そのため、モールドを押し付ける樹脂の厚みムラやモールド凹部への樹脂の充填不良が発生してしまい、転写された凹凸パターンの高さが基板内でばらつく等の転写欠陥が生じてしまい、その結果として、インプリント処理のスループットを低下させてしまうという問題がある。すなわち、基板の被転写面の平坦度は、インプリント法においてモールドの凹凸パターンを高精度に転写するための重要なファクターの一つということができる。
【０００５】
その一方で、基板上に凹凸パターンを高精度に転写するために、被転写面の一部に平坦度の不良な領域が存在するような基板を使用せず、被転写面の全面に亘って平坦度の良好な基板のみをインプリント処理に適する基板として選択し、使用すると、使用されない基板が無駄になり、その結果として半導体デバイス等の製造コストが上昇してしまうという問題がある。
【０００６】
本発明は、上述のような実情に鑑みてなされたものであり、インプリント装置における高精度な転写処理が可能であり、一部に平坦度の不良な領域が存在する基板であっても当該基板を有効活用することのできるインプリント用基板選択システム、インプリント用基板選択方法、インプリント用基板選択プログラム、並びにそれらにより選択された基板を用いたインプリントシステム及びその方法を提供することを目的とする。
【課題を解決するための手段】
【０００７】
上記目的を達成するために、第一に本発明は、インプリント用モールドの凹凸形状の転写位置を変えながら複数回転写するための基板を複数の基板の中から選択するシステムであって、前記複数の基板を収納する基板収納部と、前記基板収納部に収納された複数の基板の中から前記転写に適した基板を選択するための制御装置とを備え、前記制御装置は、前記基板収納部に収納された各基板の一方面の平坦度に関する平坦度データ及び前記基板収納部に収納された複数の基板のそれぞれに関する基板固有データを関連付けて記憶する基板関連データ記憶部と、前記インプリント用モールドの凹凸形状が転写される転写予定領域が複数配列されてなるインプリント予定領域に関するインプリント予定領域データ及び前記平坦度データに基づいて、前記インプリント予定領域に含まれる転写予定領域数と同回数の転写が可能な基板を前記転写に適した基板として選択する第１の基板選択部とを有することを特徴とするインプリント用基板選択システムを提供する（発明１）。
【０００８】
上記発明（発明１）においては、前記平坦度データには、前記基板収納部に収納された基板の一方面の平坦度が不良である領域に関する平坦度不良領域データが含まれ、前記制御装置は、前記平坦度不良領域データ及び前記インプリント予定領域データに基づいて、前記一方面の平坦度不良領域と前記インプリント予定領域とが重なるか否かを判定する重なり判定部をさらに有し、前記第１の基板選択部は、前記一方面の平坦度不良領域と前記インプリント予定領域とが重ならないと前記重なり判定部により判定された基板を選択するのが好ましい（発明２）。
【０００９】
上記発明（発明２）においては、前記制御装置は、前記インプリント予定領域を前記基板に対して相対的に回転させた状態での転写が可能であるか否かに関する回転可否データを記憶する回転可否データ記憶部をさらに有し、前記重なり判定部は、前記一方面の平坦度不良領域と前記インプリント予定領域とが重なると判定した場合に、前記回転可否データ、前記平坦度不良領域データ及び前記インプリント予定領域データに基づいて、前記インプリント予定領域を前記基板に対して相対的に回転させたときに前記一方面の平坦度不良領域と前記インプリント予定領域とが重なるか否かをさらに判定し、前記第１の基板選択部は、前記インプリント予定領域を前記基板に対して相対的に回転させたときに前記一方面の平坦度不良領域と前記インプリント予定領域とが重ならないと前記重なり判定部により判定された基板を選択するのが好ましい（発明３）。
【００１０】
上記発明（発明２）においては、前記制御装置は、前記インプリント予定領域を前記基板に対して相対的に移動させた状態での転写が可能であるか否かに関する移動可否データを記憶する移動可否データ記憶部をさらに有し、前記重なり判定部は、前記一方面の平坦度不良領域と前記インプリント予定領域とが重なると判定した場合に、前記移動可否データ、前記平坦度不良領域データ及び前記インプリント予定領域データに基づいて、前記インプリント予定領域を前記基板に対して相対的に移動させたときに前記一方面の平坦度不良領域と前記インプリント予定領域とが重なるか否かをさらに判定し、前記第１の基板選択部は、前記インプリント予定領域を前記基板に対して相対的に移動させたときに前記一方面の平坦度不良領域と前記インプリント予定領域とが重ならないと前記重なり判定部により判定された基板を選択するのが好ましい（発明４）。
【００１１】
上記発明（発明２）においては、前記制御装置は、前記インプリント予定領域を前記基板に対して相対的に回転させた状態での転写が可能であるか否かに関する回転可否データを記憶する回転可否データ記憶部と、前記インプリント予定領域を前記基板に対して相対的に移動させた状態での転写が可能であるか否かに関する移動可否データを記憶する移動可否データ記憶部とをさらに有し、前記重なり判定部は、前記一方面の平坦度不良領域と前記インプリント予定領域とが重なると判定した場合に、前記回転可否データ、前記移動可否データ、前記平坦度不良領域データ及び前記インプリント予定領域データに基づいて、前記インプリント予定領域を前記基板に対して相対的に回転させ、かつ移動させたときに前記一方面の平坦度不良領域と前記インプリント予定領域とが重なるか否かをさらに判定し、前記第１の基板選択部は、前記インプリント予定領域を前記基板に対して相対的に回転させ、かつ移動させたときに前記一方面の平坦度不良領域と前記インプリント予定領域とが重ならないと前記重なり判定部により判定された基板を選択するのが好ましい（発明５）。
【００１２】
上記発明（発明２）においては、前記制御装置は、前記基板の他方面への転写が可能であるか否かに関する他方面転写可否データを記憶する他方面転写可否データ記憶部をさらに有し、前記平坦度不良領域データには、前記基板の他方面の平坦度不良領域に関する他方面平坦度不良領域データが含まれ、前記重なり判定部は、前記一方面の平坦度不良領域と前記インプリント予定領域とが重なると判定した場合に、前記他方面転写可否データ、前記他方面平坦度不良領域データ及び前記インプリント予定領域データに基づいて、前記他方面の平坦度不良領域と前記インプリント予定領域とが重なるか否かをさらに判定し、前記第１の基板選択部は、前記他方面の平坦度不良領域と前記インプリント予定領域とが重ならないと前記重なり判定部により判定された基板を選択するのが好ましい（発明６）。
【００１３】
上記発明（発明６）においては、前記制御装置は、前記インプリント予定領域を前記基板に対して相対的に回転させた状態での転写が可能であるか否かに関する回転可否データを記憶する回転可否データ記憶部をさらに有し、前記重なり判定部は、前記他方面の平坦度不良領域と前記インプリント予定領域とが重なると判定した場合に、前記回転可否データ、前記他方面平坦度不良領域データ及び前記インプリント予定領域データに基づいて、前記インプリント予定領域を前記基板に対して相対的に回転させたときに前記他方面の平坦度不良領域と前記インプリント予定領域とが重なるか否かをさらに判定し、前記第１の基板選択部は、前記インプリント予定領域を前記基板に対して相対的に回転させたときに前記他方面の平坦度不良領域と前記インプリント予定領域とが重ならないと前記重なり判定部により判定された基板を選択するのが好ましい（発明７)。
【００１４】
上記発明（発明６）においては、前記制御装置は、前記インプリント予定領域を前記基板に対して相対的に移動させた状態での転写が可能であるか否かに関する移動可否データを記憶する移動可否データ記憶部をさらに有し、前記重なり判定部は、前記他方面の平坦度不良領域と前記インプリント予定領域とが重なると判定した場合に、前記移動可否データ、前記他方面平坦度不良領域データ及び前記インプリント予定領域データに基づいて、前記インプリント予定領域を前記基板に対して相対的に移動させたときに前記他方面の平坦度不良領域と前記インプリント予定領域とが重なるか否かをさらに判定し、前記第１の基板選択部は、前記インプリント予定領域を前記基板に対して相対的に移動させたときに前記他方面の平坦度不良領域と前記インプリント予定領域とが重ならないと前記重なり判定部により判定された基板を選択するのが好ましい（発明８）。
【００１５】
上記発明（発明６）においては、前記制御装置は、前記インプリント予定領域を前記基板に対して相対的に回転させた状態での転写が可能であるか否かに関する回転可否データを記憶する回転可否データ記憶部と、前記インプリント予定領域を前記基板に対して相対的に移動させた状態での転写が可能であるか否かに関する移動可否データを記憶する移動可否データ記憶部とをさらに有し、前記重なり判定部は、前記他方面の平坦度不良領域と前記インプリント予定領域とが重なると判定した場合に、前記回転可否データ、前記移動可否データ、前記他方面平坦度不良領域データ及び前記インプリント予定領域データに基づいて、前記インプリント予定領域を前記基板に対して相対的に回転させ、かつ移動させたときに前記他方面の平坦度不良領域と前記インプリント予定領域とが重なるか否かをさらに判定し、前記第１の基板選択部は、前記インプリント予定領域を前記基板に対して相対的に回転させ、かつ移動させたときに前記他方面の平坦度不良領域と前記インプリント予定領域とが重ならないと前記重なり判定部により判定された基板を選択するのが好ましい（発明９）。
【００１６】
上記発明（発明２）においては、前記制御装置は、前記複数の転写予定領域の一部を前記基板に対して相対的に移動させた状態での転写が可能であるか否かに関する一部移動可否データを記憶する一部移動可否データ記憶部と、前記一部移動可否データに基づいて、前記基板上における前記インプリント予定領域以外の領域に、前記転写予定領域と同一の大きさを有する領域であって、前記複数の転写予定領域の一部を移動させ得る移動予定領域を少なくとも１つ含む移動予定領域群を設定する移動予定領域群設定部と、前記移動予定領域群に含まれる移動予定領域のうち、前記重なり判定部により前記インプリント予定領域に重なると判定された前記平坦度不良領域以外の平坦度不良領域と重ならない移動予定領域の数を算出する移動予定領域数算出部と、前記重なり判定部により前記平坦度不良領域と前記インプリント予定領域とが重なると判定された場合に、当該平坦度不良領域に重なる前記転写予定領域を特定する重なり転写予定領域特定部とをさらに有し、前記第１の基板選択部は、前記重なり転写予定領域特定部により特定された前記転写予定領域の数が、前記移動予定領域数算出部により算出された移動予定領域数以下である基板を選択するのが好ましい（発明１０）。
【００１７】
上記発明（発明２〜１０）においては、前記制御装置は、前記インプリント予定領域に含まれる前記転写予定領域のうち、前記平坦度不良領域と重なる転写予定領域の個数を算出する重なり転写予定領域数算出部と、前記重なり転写予定領域数算出部により算出された前記重なり転写予定領域数に応じて優先順位データを生成する優先順位データ生成部と、前記インプリント用モールドの凹凸形状の転写により製造されるデバイスの製造予定数に関するデータを記憶する製造予定デバイス数データ記憶部と、前記基板収納部に収納されたすべての基板の中から前記第１の基板選択部により選択された基板の枚数と前記インプリント予定領域に含まれる転写予定領域数との積が、前記製造予定デバイス数未満であるときに、前記優先順位データに基づいて、前記インプリント予定領域に含まれる転写予定領域数と同回数の転写が不可能な基板の中から一の基板を選択する第２の基板選択部とをさらに有していてもよい（発明１１）。
【００１８】
また、上記発明（発明２〜１０）においては、前記制御装置は、前記インプリント予定領域に含まれる前記転写予定領域のうち、前記平坦度不良領域と重なる転写予定領域の個数を算出する重なり転写予定領域数算出部と、前記インプリント用モールドの凹凸形状の転写により製造されるデバイスの製造予定数に関するデータを記憶する製造予定デバイス数データ記憶部と、前記基板収納部に収納されたすべての基板の中から前記第１の基板選択部により選択された基板の枚数と前記インプリント予定領域に含まれる転写予定領域数との積が、前記製造予定デバイス数未満であるときに、前記基板枚数と前記転写予定領域数との積及び前記製造予定デバイス数の差分、並びに前記重なり転写予定領域数算出部により算出された前記重なり転写予定領域数に基づいて、前記インプリント予定領域に含まれる転写予定領域数と同回数の転写が不可能な基板の中から一の基板を選択する第２の基板選択部とをさらに有していてもよい（発明１２）。
【００１９】
第二に本発明は、インプリント用モールドの凹凸形状の転写位置を変えながら複数回転写するための基板を複数の基板の中から選択する制御装置において実行されるインプリント用基板選択プログラムであって、前記制御装置は、前記基板の一方面の平坦度が不良である領域に関する平坦度不良領域データを記憶する基板関連データ記憶部と、前記インプリント用モールドの凹凸形状が転写される転写予定領域が複数配列されてなるインプリント予定領域に関するデータを記憶するインプリント予定領域データ記憶部とを備え、前記基板関連データ記憶部から読み出された前記平坦度不良領域データと、前記インプリント予定領域データ記憶部から読み出された前記インプリント予定領域データとに基づいて、前記一方面の平坦度不良領域と前記インプリント予定領域とが重なるか否かを判定する第１の重なり判定ステップと、前記インプリント予定領域に含まれる前記転写予定領域数と同回数の転写が可能な基板を選択する第１の基板選択ステップとを前記制御装置に実行させ、前記第１の基板選択ステップにおいて、前記第１の重なり判定ステップにより前記平坦度不良領域と前記インプリント予定領域とが重ならないと判定された基板を、前記インプリント予定領域に含まれる前記転写予定領域数と同回数の転写が可能な基板として選択することを特徴とするインプリント用基板選択プログラムを提供する（発明１３）。
【００２０】
上記発明（発明１３）においては、前記制御装置は、前記インプリント予定領域を前記基板に対して相対的に回転させた状態での転写が可能であるか否かに関する回転可否データを記憶する回転可否データ記憶部をさらに備え、前記第１の重なり判定ステップにより前記一方面の平坦度不良領域と前記インプリント予定領域とが重なると判定された場合に、前記回転可否データ記憶部から読み出された回転可否データ、前記基板関連データ記憶部から読み出された前記平坦度不良領域データ及び前記インプリント予定領域データ記憶部から読み出された前記インプリント予定領域データに基づいて、前記インプリント予定領域を前記基板に対して相対的に回転させたときに前記一方面の平坦度不良領域と前記インプリント予定領域とが重なるか否かを判定する第２の重なり判定ステップを前記制御装置に実行させ、前記第１の基板選択ステップにおいて、前記第２の重なり判定ステップにより前記平坦度不良領域と前記インプリント予定領域とが重ならないと判定された基板を、前記インプリント予定領域に含まれる前記転写予定領域数と同回数の転写が可能な基板として選択するのが好ましい（発明１４）。
【００２１】
上記発明（発明１３）においては、前記制御装置は、前記インプリント予定領域を前記基板に対して相対的に移動させた状態での転写が可能であるか否かに関する移動可否データを記憶する移動可否データ記憶部をさらに有し、前記第１の重なり判定ステップにより前記一方面の平坦度不良領域と前記インプリント予定領域とが重なると判定された場合に、前記移動可否データ記憶部から読み出された移動可否データ、前記基板関連データ記憶部から読み出された前記平坦度不良領域データ及び前記インプリント予定領域データ記憶部から読み出された前記インプリント予定領域データに基づいて、前記インプリント予定領域を前記基板に対して相対的に移動させたときに前記一方面の平坦度不良領域と前記インプリント予定領域とが重なるか否かを判定する第３の重なり判定ステップを前記制御装置に実行させ、前記第１の基板選択ステップにおいて、前記第３の重なり判定ステップにより前記平坦度不良領域と前記インプリント予定領域とが重ならないと判定された基板を、前記インプリント予定領域に含まれる前記転写予定領域数と同回数の転写が可能な基板として選択するのが好ましい（発明１５）。
【００２２】
上記発明（発明１３）においては、前記制御装置は、前記インプリント予定領域を前記基板に対して相対的に回転させた状態での転写が可能であるか否かに関する回転可否データを記憶する回転可否データ記憶部と、前記インプリント予定領域を前記基板に対して相対的に移動させた状態での転写が可能であるか否かに関する移動可否データを記憶する移動可否データ記憶部とをさらに有し、前記第１の重なり判定ステップにより前記一方面の平坦度不良領域と前記インプリント予定領域とが重なると判定された場合に、前記回転可否データ記憶部から読み出された回転可否データ、前記移動可否データ記憶部から読み出された移動可否データ、前記基板関連データ記憶部から読み出された平坦度不良領域データ及び前記インプリント予定領域データ記憶部から読み出されたインプリント予定領域データに基づいて、前記インプリント予定領域を前記基板に対して相対的に回転させ、かつ移動させたときに前記一方面の平坦度不良領域と前記インプリント予定領域とが重なるか否かを判定する第４の重なり判定ステップを前記制御装置に実行させ、前記第１の基板選択ステップにおいて、前記第４の重なり判定ステップにより前記平坦度不良領域と前記インプリント予定領域とが重ならないと判定された基板を、前記インプリント予定領域に含まれる前記転写予定領域数と同回数の転写が可能な基板として選択するのが好ましい（発明１６）。
【００２３】
上記発明（発明１３）においては、前記制御装置は、前記基板の他方面への転写が可能であるか否かに関する他方面転写可否データを記憶する他方面転写可否データ記憶部をさらに有し、前記平坦度不良領域データには、前記基板の他方面の平坦度不良領域に関する他方面平坦度不良領域データが含まれ、前記第１の重なり判定ステップにより前記一方面の平坦度不良領域と前記インプリント予定領域とが重なると判定された場合に、前記他方面転写可否データ記憶部から読み出された他方面転写可否データ、前記基板関連データ記憶部から読み出された前記他方面平坦度不良領域データ及び前記インプリント予定領域データ記憶部から読み出された前記インプリント予定領域データに基づいて、前記他方面の平坦度不良領域と前記インプリント予定領域とが重なるか否かを判定する第５の重なり判定ステップを前記制御装置に実行させ、前記第１の基板選択ステップにおいて、前記第５の重なり判定ステップにより前記平坦度不良領域と前記インプリント予定領域とが重ならないと判定された基板を、前記インプリント予定領域に含まれる前記転写予定領域数と同回数の転写が可能な基板として選択するのが好ましい（発明１７）。
【００２４】
上記発明（発明１７）においては、前記制御装置は、前記インプリント予定領域を前記基板に対して相対的に回転させた状態での転写が可能であるか否かに関する回転可否データを記憶する回転可否データ記憶部をさらに備え、前記第５の重なり判定ステップにより前記他方面の平坦度不良領域と前記インプリント予定領域とが重なると判定された場合に、前記回転可否データ記憶部から読み出された回転可否データ、前記基板関連データ記憶部から読み出された他方面平坦度不良領域データ及び前記インプリント予定領域データ記憶部から読み出されたインプリント予定領域データに基づいて、前記インプリント予定領域を前記基板に対して相対的に回転させたときに前記他方面の平坦度不良領域と前記インプリント予定領域とが重なるか否かを判定する第６の重なり判定ステップを前記制御装置に実行させ、前記第１の基板選択ステップにおいて、前記第６の重なり判定ステップにより前記平坦度不良領域と前記インプリント予定領域とが重ならないと判定された基板を、前記インプリント予定領域に含まれる前記転写予定領域数と同回数の転写が可能な基板として選択するのが好ましい（発明１８）。
【００２５】
上記発明（発明１７）においては、前記制御装置は、前記インプリント予定領域を前記基板に対して相対的に移動させた状態での転写が可能であるか否かに関する移動可否データを記憶する移動可否データ記憶部をさらに有し、前記第５の重なり判定ステップにより前記他方面の平坦度不良領域と前記インプリント予定領域とが重なると判定された場合に、前記移動可否データ記憶部から読み出された移動可否データ、前記基板関連データ記憶部から読み出された他方面平坦度不良領域データ及び前記インプリント予定領域データ記憶部から読み出されたインプリント予定領域データに基づいて、前記インプリント予定領域を前記基板に対して相対的に移動させたときに前記他方面の平坦度不良領域と前記インプリント予定領域とが重なるか否かを判定する第７の重なり判定ステップを前記制御装置に実行させ、前記第１の基板選択ステップにおいて、前記第７の重なり判定ステップにより前記平坦度不良領域と前記インプリント予定領域とが重ならないと判定された基板を、前記インプリント予定領域に含まれる前記転写予定領域数と同回数の転写が可能な基板として選択するのが好ましい（発明１９）。
【００２６】
上記発明（発明１７）においては、前記制御装置は、前記インプリント予定領域を前記基板に対して相対的に回転させた状態での転写が可能であるか否かに関する回転可否データを記憶する回転可否データ記憶部と、前記インプリント予定領域を前記基板に対して相対的に移動させた状態での転写が可能であるか否かに関する移動可否データを記憶する移動可否データ記憶部とをさらに有し、前記第５の重なり判定ステップにより前記他方面の平坦度不良領域と前記インプリント予定領域とが重なると判定された場合に、前記回転可否データ記憶部から読み出された回転可否データ、前記移動可否データ記憶部から読み出された移動可否データ、前記基板関連データ記憶部から読み出された他方面平坦度不良領域データ及び前記インプリント予定領域データ記憶部から読み出されたインプリント予定領域データに基づいて、前記インプリント予定領域を前記基板に対して相対的に回転させ、かつ移動させたときに前記他方面の平坦度不良領域と前記インプリント予定領域とが重なるか否かを判定する第８の重なり判定ステップを前記制御装置に実行させ、前記第１の基板選択ステップにおいて、前記第８の重なり判定ステップにより前記平坦度不良領域と前記インプリント予定領域とが重ならないと判定された基板を、前記インプリント予定領域に含まれる前記転写予定領域数と同回数の転写が可能な基板として選択するのが好ましい（発明２０）。
【００２７】
上記発明（発明１３）においては、前記制御装置は、前記複数の転写予定領域の一部を前記基板に対して相対的に移動させた状態での転写が可能であるか否かに関する一部移動可否データを記憶する一部移動可否データ記憶部をさらに有し、前記平坦度不良領域と前記インプリント予定領域とが重なると判定された場合に、前記一部移動可否データに基づいて、前記基板上における前記インプリント予定領域以外の領域に、前記転写予定領域と同一の大きさを有する領域であって、前記複数の転写予定領域の一部を移動させ得る移動予定領域を少なくとも１つ含む移動予定領域群を設定する移動予定領域群設定ステップと、前記移動予定領域群に含まれる移動予定領域のうち、前記インプリント予定領域に重なると判定された前記平坦度不良領域以外の平坦度不良領域と重ならない移動予定領域の数を算出する移動予定領域数算出ステップと、前記平坦度不良領域と前記インプリント予定領域とが重なると判定された場合に、当該平坦度不良領域に重なる前記転写予定領域を特定する重なり転写予定領域特定ステップとを前記制御装置に実行させ、前記第１の基板選択ステップにおいて、前記重なり転写予定領域特定ステップにより特定された前記転写予定領域の数が、前記移動予定領域数算出ステップにより算出された移動予定領域数以下である基板を、前記インプリント予定領域に含まれる前記転写予定領域数と同回数の転写が可能な基板として選択するのが好ましい（発明２１）。
【００２８】
上記発明（発明１３〜２１）においては、前記制御装置は、前記インプリント用モールドの凹凸形状の転写により製造されるデバイスの製造予定数に関するデータを記憶する製造予定デバイス数データ記憶部をさらに有し、前記第１の基板選択ステップにより前記インプリント予定領域に含まれる前記転写予定領域数と同回数の転写が可能な基板が選択されなかった場合に、前記平坦度不良領域と重なる前記転写予定領域の個数を算出する重なり転写予定領域数算出ステップと、前記重なり転写予定領域数算出ステップにより算出された前記転写予定領域の個数に応じて優先順位データを生成する優先順位データ生成ステップと、前記第１の基板選択ステップにより選択された基板の枚数と前記インプリント予定領域に含まれる転写予定領域数との積が、前記製造予定デバイス数未満であるときに、前記優先順位データ生成ステップにより生成された優先順位データに基づいて、前記インプリント予定領域に含まれる転写予定領域数と同回数の転写が不可能な基板の中から一の基板を選択する第２の基板選択ステップとを前記制御装置に実行させてもよい（発明２２）。
【００２９】
また、上記発明（発明１３〜２１）においては、前記制御装置は、前記インプリント用モールドの凹凸形状の転写により製造されるデバイスの製造予定数に関するデータを記憶する製造予定デバイス数データ記憶部をさらに有し、前記第１の基板選択ステップにより前記インプリント予定領域に含まれる前記転写予定領域数と同回数の転写が可能な基板が選択されなかった場合に、前記平坦度不良領域と重なる前記転写予定領域の個数を算出する重なり転写予定領域数算出ステップと、前記第１の基板選択ステップにより選択された基板の枚数と前記インプリント予定領域に含まれる転写予定領域数との積が、前記製造予定デバイス数未満であるときに、前記基板枚数と前記転写予定領域数との積及び前記製造予定デバイス数の差分、並びに前記重なり転写予定領域数算出ステップにより算出された前記重なり転写予定領域数に基づいて、前記インプリント予定領域に含まれる転写予定領域数と同回数の転写が不可能な基板の中から一の基板を選択する第２の基板選択ステップとを前記制御装置に実行させてもよい（発明２３）。
【００３０】
第三に本発明は、上記発明（発明１３〜２３）に係るインプリント用基板選択プログラムを格納した記録媒体を提供する（発明２４）。
【００３１】
第四に本発明は、上記発明（発明１〜１２）に係るインプリント用基板選択システムと、前記インプリント用基板選択システムにより選択された基板に対し、インプリント用モールドの凹凸形状を、転写位置を変えながら複数回転写するインプリント装置とを備え、前記制御装置は、前記平坦度データと前記インプリント予定領域データとに基づいて、前記インプリント用モールドの凹凸形状を転写する前記選択された基板上の領域を設定するインプリント領域設定部をさらに有し、前記インプリント領域設定部により設定されたインプリント領域に転写位置を変えながら前記インプリント用モールドの凹凸形状が複数回転写されるように、前記インプリント装置を制御することを特徴とするインプリントシステムを提供する（発明２５）。
【００３２】
第五に本発明は、転写位置を変えながらインプリント用モールドの凹凸形状を複数回転写するための基板を複数の基板の中から選択する方法であって、前記基板の一方面の平坦度が不良である領域と前記インプリント用モールドの凹凸形状が転写される転写予定領域が複数配列されてなるインプリント予定領域とが重なるか否かを判定する第１の重なり判定工程と、前記インプリント予定領域に含まれる前記転写予定領域数と同回数の転写が可能な基板を選択する第１の基板選択工程とを含み、前記第１の基板選択工程において、前記第１の重なり判定工程により前記一方面の平坦度不良領域と前記インプリント予定領域とが重ならないと判定された基板を、前記インプリント予定領域に含まれる前記転写予定領域数と同回数の転写が可能な基板として選択することを特徴とするインプリント用基板選択方法を提供する（発明２６）。
【００３３】
上記発明（発明２６）においては、前記第１の重なり判定工程において前記一方面の平坦度不良領域と前記インプリント予定領域とが重なると判定され、かつ前記インプリント予定領域を前記基板に対して相対的に回転させた状態での転写が可能である場合に、前記インプリント予定領域を前記基板に対して相対的に回転させたときに前記一方面の平坦度不良領域と前記インプリント予定領域とが重なるか否かを判定する第２の重なり判定工程をさらに含み、前記第１の基板選択工程において、前記第２の重なり判定工程により前記基板と前記インプリント予定領域とが重ならないと判定された基板を、前記インプリント予定領域に含まれる前記転写予定領域数と同回数の転写が可能な基板として選択するのが好ましい（発明２７）。
【００３４】
上記発明（発明２６）においては、前記第１の重なり判定工程において前記基板の一方面の平坦度不良領域と前記インプリント予定領域とが重なると判定され、かつ前記インプリント予定領域を前記基板に対して相対的に移動させた状態での転写が可能である場合に、前記インプリント予定領域を前記基板に対して相対的に移動させたときに前記一方面の平坦度不良領域と前記インプリント予定領域とが重なるか否かを判定する第３の重なり判定工程をさらに含み、前記第１の基板選択工程において、前記第３の重なり判定工程により前記一方面の平坦度不良領域と前記インプリント予定領域とが重ならないと判定された基板を、前記インプリント予定領域に含まれる前記転写予定領域数と同回数の転写が可能な基板として選択するのが好ましい（発明２８）。
【００３５】
上記発明（発明２６）においては、前記第１の重なり判定工程において前記一方面の平坦度不良領域と前記インプリント予定領域とが重なると判定され、前記インプリント予定領域を前記基板に対して相対的に回転させ、かつ移動させた状態での転写が可能である場合に、前記インプリント予定領域を前記基板に対して相対的に回転させ、かつ移動させたときに前記一方面の平坦度不良領域と前記インプリント予定領域とが重なるか否かを判定する第４の重なり判定工程をさらに含み、前記第１の基板選択工程において、前記第４の重なり判定工程により前記一方面の平坦度不良領域と前記インプリント予定領域とが重ならないと判定された基板を、前記インプリント予定領域に含まれる前記転写予定領域数と同回数の転写が可能な基板として選択するのが好ましい（発明２９)。
【００３６】
上記発明（発明２６）においては、前記第１の重なり判定工程において前記一方面の平坦度不良領域と前記インプリント予定領域とが重なると判定され、かつ前記基板の他方面を用いた転写が可能である場合に、前記基板の他方面側の平坦度不良領域と前記複数の転写予定領域のそれぞれとが重なるか否かを判定する第５の重なり判定工程をさらに含み、前記第１の基板選択工程において、前記第５の重なり判定工程により前記他方面の平坦度不良領域と前記インプリント予定領域とが重ならないと判定された基板を、前記インプリント予定領域に含まれる前記転写予定領域数と同回数の転写が可能な基板として選択するのが好ましい（発明３０）。
【００３７】
上記発明（発明３０）においては、前記第５の重なり判定工程において前記他方面の平坦度不良領域と前記インプリント予定領域とが重なると判定され、かつ前記インプリント予定領域を前記基板に対して相対的に回転させた状態での転写が可能である場合に、前記インプリント予定領域を前記基板に対して相対的に回転させたときに前記他方面の平坦度不良領域と前記インプリント予定領域とが重なるか否かを判定する第６の重なり判定工程をさらに含み、前記第１の基板選択工程において、前記第６の重なり判定工程により前記インプリント予定領域を前記基板に対して相対的に回転させたときに前記他方面の平坦度不良領域と前記インプリント予定領域とが重ならないと判定された基板を、前記インプリント予定領域に含まれる前記転写予定領域数と同回数の転写が可能な基板として選択するのが好ましい（発明３１）。
【００３８】
上記発明（発明３０）においては、前記第５の重なり判定工程において前記他方面の平坦度不良領域と前記インプリント予定領域とが重なると判定され、かつ前記インプリント予定領域を前記基板に対して相対的に移動した状態での転写が可能である場合に、前記インプリント予定領域を前記基板に対して相対的に移動させたときに前記他方面の平坦度不良領域と前記インプリント予定領域とが重なるか否かを判定する第７の重なり判定工程をさらに含み、前記第１の基板選択工程において、前記第７の重なり判定工程により前記インプリント予定領域を前記基板に対して相対的に移動させたときに前記他方面の平坦度不良領域と前記インプリント予定領域とが重ならないと判定された基板を、前記インプリント予定領域に含まれる前記転写予定領域数と同回数の転写が可能な基板として選択するのが好ましい（発明３２）。
【００３９】
上記発明（発明３０）においては、前記第５の重なり判定工程において前記他方面の平坦度不良領域と前記インプリント予定領域とが重なると判定され、前記インプリント予定領域を前記基板に対して相対的に回転させ、かつ移動させた状態での転写が可能である場合に、前記インプリント予定領域を前記基板に対して相対的に回転させ、かつ移動させたときに前記他方面の平坦度不良領域と前記インプリント予定領域とが重なるか否かを判定する第８の重なり判定工程をさらに含み、前記第１の基板選択工程において、前記第８の重なり判定工程により前記他方面の平坦度不良領域と前記インプリント予定領域とが重ならないと判定された基板を、前記インプリント予定領域に含まれる前記転写予定領域数と同回数の転写が可能な基板として選択するのが好ましい（発明３３）。
【００４０】
上記発明（発明２６）においては、前記平坦度不良領域と前記インプリント予定領域とが重なると判定された場合に、前記一部移動可否データに基づいて、前記基板上における前記インプリント予定領域以外の領域に、前記転写予定領域と同一の大きさを有する領域であって、前記複数の転写予定領域の一部を移動させ得る移動予定領域を少なくとも１つ含む移動予定領域群を設定する移動予定領域群設定工程と、前記移動予定領域群に含まれる移動予定領域のうち、前記インプリント予定領域に重なると判定された前記平坦度不良領域以外の平坦度不良領域と重ならない移動予定領域の数を算出する移動予定領域数算出工程と、前記平坦度不良領域と前記インプリント予定領域とが重なると判定された場合に、当該平坦度不良領域に重なる前記転写予定領域を特定する重なり転写予定領域特定工程とを含み、前記第１の基板選択工程において、前記重なり転写予定領域特定工程により特定された前記転写予定領域の数が、前記移動予定領域数算出工程により算出された移動予定領域数以下である基板を、前記インプリント予定領域に含まれる前記転写予定領域数と同回数の転写が可能な基板として選択するのが好ましい（発明３４）。
【００４１】
上記発明（発明２６〜３４）においては、前記第１の基板選択工程により前記インプリント予定領域に含まれる前記転写予定領域数と同回数の転写が可能な基板が選択されなかった場合に、前記平坦度不良領域と重なる前記転写予定領域の個数を算出する重なり転写予定領域数算出工程と、前記重なり転写予定領域数算出工程により算出された前記転写予定領域の個数に基づいて優先順位を付与する優先順位付与工程と、前記複数の基板の中から前記第１の基板選択工程により選択された基板の枚数と前記インプリント予定領域に含まれる転写予定領域数との積が、前記インプリント用モールドの凹凸形状の転写により製造されるデバイスの製造予定数未満であるときに、前記優先順位付与工程により付与された優先順位に基づいて、前記インプリント予定領域に含まれる転写予定領域数と同回数の転写が不可能な基板の中から一の基板を選択する第２の基板選択工程とをさらに含んでいてもよい（発明３５）。
【００４２】
また、上記発明（発明２６〜３４）においては、前記第１の基板選択工程により前記インプリント予定領域に含まれる前記転写予定領域数と同回数の転写が可能な基板が選択されなかった場合に、前記平坦度不良領域と重なる前記転写予定領域の個数を算出する重なり転写予定領域数算出工程と、前記複数の基板の中から前記第１の基板選択工程により選択された基板の枚数と前記インプリント予定領域に含まれる転写予定領域数との積が、前記インプリント用モールドの凹凸形状の転写により製造されるデバイスの製造予定数未満であるときに、前記基板枚数と前記転写予定領域数との積及び前記製造予定デバイス数の差分、並びに前記重なり転写予定領域数算出工程により算出された前記重なり転写予定領域数に基づいて、前記インプリント予定領域に含まれる転写予定領域数と同回数の転写が不可能な基板の中から一の基板を選択する第２の基板選択工程とをさらに含んでいてもよい（発明３６）。
【００４３】
第六に本発明は、上記発明（発明２６〜３６）に係るインプリント用基板選択方法により選択された基板上における、前記インプリント用モールドの凹凸形状を転写する領域を設定するインプリント領域設定工程と、インプリント装置を用いて、前記選択された基板に対しインプリント用モールドの凹凸形状を前記インプリント領域に転写位置を変えながら複数回転写する転写工程とを含むことを特徴とするインプリント方法を提供する（発明３７）。
【発明の効果】
【００４４】
本発明によれば、インプリント装置における高精度な転写処理が可能であり、一部に平坦度の悪い領域が存在する基板であっても当該基板を有効活用することのできるインプリント用基板選択システム、インプリント用基板選択方法、インプリント用基板選択プログラム、並びにそれらにより選択された基板を用いたインプリントシステム及びその方法を提供することができる。
【図面の簡単な説明】
【００４５】
【図１】本発明の一実施形態に係るインプリントシステムを示す概略構成図である。
【図２】本発明の一実施形態における制御装置の内部構成を示す概略図である。
【図３】本発明の一実施形態におけるインプリント予定領域の一例を示す概略図である。
【図４】本発明の一実施形態における基板データベースのデータベース構成を示す概略図である。
【図５】本発明の一実施形態における基板の平坦度不良領域の一例を示す概略図である。
【図６】本発明の一実施形態における被転写基板データベースのデータベース構成を示す概略図である。
【図７】本発明の一実施形態における被転写候補基板データベースのデータ構成を示す概略図である。
【図８】本発明の一実施形態におけるインプリント条件データ生成処理を示すフローチャートである。
【図９】図８に示すインプリント条件データ生成処理における移動関連条件データ生成処理を示すサブフローチャートである。
【図１０】図８に示すインプリント条件データ生成処理における回転関連条件データ生成処理を示すサブフローチャートである。
【図１１】図８に示すインプリント条件データ生成処理における裏面関連条件データ生成処理を示すサブフローチャートである。
【図１２】図８に示すインプリント条件データ生成処理における一部移動関連条件データ生成処理を示すフローチャートである。
【図１３】本発明の一実施形態におけるインプリント用基板選択処理を示すフローチャート（その１）である。
【図１４】本発明の一実施形態におけるインプリント用基板選択処理を示すフローチャート（その２）である。
【図１５】本発明の一実施形態におけるインプリント用基板選択処理を示すフローチャート（その３）である。
【図１６】本発明の一実施形態におけるインプリント用基板選択処理を示すフローチャート（その４）である。
【図１７】本発明の一実施形態におけるインプリント用基板選択処理を示すフローチャート（その５）である。
【図１８】本発明の一実施形態におけるインプリント用基板選択処理を示すフローチャート（その６）である。
【図１９】本発明の一実施形態におけるインプリント用基板選択処理を示すフローチャート（その７）である。
【図２０】本発明の一実施形態におけるインプリント用基板選択処理を示すフローチャート（その８）である。
【図２１】本発明の一実施形態におけるインプリント用基板選択処理を示すフローチャート（その９）である。
【図２２】本発明の一実施形態におけるインプリント用基板選択処理を示すフローチャート（その１０）である。
【図２３】本発明の一実施形態におけるインプリント用基板選択処理を示すフローチャート（その１１）である。
【図２４】本発明の一実施形態におけるインプリント用基板選択処理を示すフローチャート（その１２）である。
【図２５】本発明の一実施形態におけるインプリント処理を示すフローチャートである。
【図２６】本発明の一実施形態におけるインプリント予定領域及び移動予定領域群を示す概略図である。
【図２７】本発明の一実施形態における移動予定領域に、平坦度不良領域と重なる転写予定領域を移動させた状態を示す概念図である。
【図２８】本発明の一実施形態におけるインプリント予定領域の他の例を示す概略図である。
【発明を実施するための形態】
【００４６】
以下、本発明の実施の形態について図面を参照しながら説明する。
＜インプリントシステムの装置構成＞
図１に示すように、本実施形態に係るインプリントシステム１は、複数の基板を収納する基板収納部２と、基板収納部２に収納された基板に対し所定のインプリント用モールドを用いて転写位置を変えながら複数回のインプリント処理を施すことのできるインプリント装置３と、基板収納部２に収納された基板をインプリント装置３に搬送する基板搬送装置４と、基板収納部２に収納された複数の基板の中からインプリント装置３におけるインプリント処理に適した基板を選択し、当該基板をインプリント装置３に搬送するために基板搬送装置４を制御するとともに、インプリント装置３におけるインプリント処理を制御する制御装置５とを備える。
【００４７】
基板収納部２としては、少なくとも各基板を識別可能に収納し得るものであればよく、多段状に基板を収納可能なストッカー、管理番号を付与した基板ケース等が挙げられる。なお、基板収納部２に収納される基板としては、インプリント処理に用いられ得る基板であれば特に限定されるものではなく、例えば、シリコン基板、石英基板、ガラス基板、ＳＯＩ基板等が挙げられ、ノッチやオリフラ等が形成された基板であってもよいし、それらが形成されていない基板であってもよく、基板の両面（表面及び裏面）が研磨加工されているものであってもよいし、基板の両面が研磨加工されているが一方面（表面）のみに表面処理が施され、他方面（裏面）における樹脂の塗布特性が良好でないようなものであってもよい。また、一方面（表面）のみ研磨加工されているものであってもよい。
【００４８】
インプリント装置３としては、基板を載置するステージと、インプリント用モールドを保持した状態でステージ上の基板に対して押し付けるための保持部とを少なくとも有し、ステージ及び／又は保持部をＸＹ方向に移動させることのできる機構を有するものを例示することができ、ステージ及び／又は保持部を回転させることのできる回転機構を有するものであってもよいし、当該回転機構を有しないものであってもよい。
【００４９】
基板搬送装置４としては、基板収納部２に収納されている基板を保持し、インプリント装置３に搬送する搬送機構を有するものを例示することができ、保持した基板を表裏反対にした状態でインプリント装置３に搬送し得る機構、保持した基板を回転させ、インプリント装置３に搬送し得る機構等を有するものであってもよいし、それらの機構を有しないものであってもよい。
【００５０】
図２に示すように、制御装置５は、ＣＰＵ５１と、各種プログラム等を記憶する主記憶部５２と、ＣＰＵ５１により生成されたデータ等を一時的に記憶する補助記憶部５３と、基板搬送装置４及びインプリント装置３との間でデータ等の送受信を行うための通信部５４と、基板収納部２に収納されている基板に関するデータを格納する基板データベース（基板ＤＢ）５５と、インプリント用基板選択処理により選択された基板（被転写基板）に関するデータを格納する被転写基板データベース（被転写基板ＤＢ）５６と、インプリント用基板選択処理において基板の平坦度不良領域とインプリント予定領域とが重なっていると判定された基板に対し優先順位が付与されたデータを格納する被転写候補基板データベース（被転写候補基板ＤＢ）５７と、インプリントシステム１を構成する各装置（基板収納部２、インプリント装置３、基板搬送装置４）の機能等に基づくインプリント処理条件に関するデータを格納するインプリントシステムデータベース（インプリントシステムＤＢ）５８とを備える。
【００５１】
ＣＰＵ５１は、基板ＤＢ５５、被転写基板ＤＢ５６、被転写候補基板ＤＢ５７、インプリントシステムＤＢ５８等に格納された各種データや、補助記憶部５３に記憶された各種データ等を読み出し、主記憶部５２に記憶された各種プログラムの指示に従って、種々の演算処理等を行う。
【００５２】
主記憶部５２には、基板収納部２に収納された複数の基板の中からインプリント装置３におけるインプリント処理に適した一の基板を選択するためのインプリント用基板選択プログラム、基板搬送装置４による基板の搬送処理を制御するための搬送制御プログラム、インプリント装置３によるインプリント処理を制御するためのインプリント制御プログラム等の各種プログラム等が記憶されている。
【００５３】
補助記憶部５３には、ユーザからの入力データ；当該入力データに基づいてＣＰＵ５１により生成された各種インプリント条件データ；各ＤＢ５５〜５８から取得したデータ；後述する各重なり判定処理（図１３〜２０参照）において特定された重なり転写予定領域に関するデータ；後述する一部移動判定処理（図２１〜２３参照）において生成された、移動予定領域に関するデータ；後述する基板選択処理（図２４参照）において生成された、平坦度不良領域と重ならない転写予定領域のみからなるインプリント領域に関するデータ等の各種データが一時的に記憶される。
【００５４】
なお、補助記憶部５３に記憶されるユーザからの入力データとしては、例えば、インプリントシステム１におけるインプリント処理による製造予定デバイス数（すなわち、総転写回数）に関するデータ；複数の転写予定領域を配列させてなるインプリント予定領域に関するデータ；インプリントシステム１を用いたインプリント処理により製造されるデバイスの種類や用途等に応じ、当該インプリントシステム１においてインプリント予定領域を基板に対して相対的に回転させた状態でのインプリント処理をユーザが許容するか否かに関するデータ（回転許否データ）；インプリントシステム１においてインプリント予定領域を基板に対して相対的に移動させた状態でのインプリント処理をユーザが許容するか否かに関するデータ（移動許否データ）；インプリントシステム１において基板の他方面（裏面）を用いたインプリント処理をユーザが許容するか否かに関するデータ（裏面使用許否データ）；インプリントシステム１においてインプリント予定領域に含まれる複数の転写予定領域の一部を基板に対して相対的に移動させた状態でのインプリント処理をユーザが許容するか否かに関するデータ（一部移動許否データ）；基板選択処理においてインプリント予定領域を基板に対して相対的に移動させた状態での重なり判定処理（図１５，１６，１９，２０参照）を行う際のインプリント予定領域や転写予定領域のＸ方向及びＹ方向への移動距離（Ｘpitch，Ｙpitch）に関するデータ等が挙げられる。
【００５５】
なお、ユーザにより入力されるインプリント予定領域データは、例えば、当該インプリント予定領域及び基板が図３に示すような矩形状である場合において、インプリント予定領域の中心と基板の中心とを一致させ、基板の中心を原点としたときに当該インプリント予定領域の対角に位置する二点（左下角の点α，右上角の点β）の座標データと、当該インプリント予定領域に含まれる各転写予定領域の対角に位置する二点（左下角の点α’，右上角の点β’）の座標データと、各転写予定領域の位置情報（行番号及び列番号からなるデータ。例えば、図３において左上角に位置する転写予定領域は、「１(行)−１(列)」という位置情報を有する。）を含むものである。
【００５６】
また、ＣＰＵ５１により生成され、補助記憶部５３に記憶されるインプリント条件データには、インプリントシステム１においてインプリント予定領域を基板に対して相対的に回転させた状態でのインプリント処理が可能であるか否かに関するデータ（回転関連条件データ）、インプリントシステム１においてインプリント予定領域を基板に対して相対的に移動させた状態でのインプリント処理が可能であるか否かに関するデータ（移動関連条件データ）、インプリントシステム１において基板の他方面（裏面）を用いたインプリント処理が可能であるか否かに関するデータ（裏面関連条件データ）、インプリントシステム１において一部の転写予定領域を基板に対して相対的に移動させた状態でのインプリント処理が可能であるか否かに関するデータ（一部移動関連条件データ）が含まれる。
【００５７】
例えば、インプリントシステム１を構成する装置上の条件（インプリント装置３における基板の載置方向に対するインプリント用モールドの保持方向が一方向のみであってインプリント予定領域を基板に対して相対的に回転させた状態でのインプリント処理が不可能；基板搬送装置４において表裏を反対にして基板をインプリント装置３に搬送するのが不可能；基板収納部２における基板の保管環境等により基板の他方面（裏面）側に異物等が付着しやすく基板の他方面（裏面）に対するインプリント処理が不可能等）や転写後の基板が付される後工程上の条件（例えば、転写後の基板を切断（個片化）する工程にて用いられるダイシング装置の制限等）等に応じて、インプリント条件データが生成され得る。
【００５８】
図４に示すように、基板ＤＢ５５には、基板収納部２に収納されている各基板の識別情報（基板ＩＤ）と、各基板の収納場所データと、予め測定された基板の表面の平坦度データと、各基板に固有のデータ（基板固有データ）とが関連付けられて格納される。また、基板収納部２に格納されている基板の全枚数に関するデータ（基板枚数データ）も格納される。
【００５９】
基板ＤＢ５５に格納される基板の表面の平坦度データは、基板の表面の平坦度の悪い領域（平坦度不良領域）を示す座標データである。基板の表面の平坦度不良領域は、例えば、平坦度測定装置（例えば、ラムダエースシリーズ，大日本スクリーン株式会社製等）を用いて基板の表面の平坦度を測定・解析したときにおける所定の平坦度（例えば、１０ｎｍ以上）の領域を少なくとも囲む矩形の枠を設定し、基板の表面の中心を原点としたときにおける当該矩形枠の対角に位置する二点（矩形枠の左下角の点Ａ及び右上角の点Ｂ）の座標データとして表される（図４の領域Ｎｏ．Ｆ１等参照）。なお、本明細書において、平坦度不良領域とは、基板自体の平坦度の悪い領域の他、基板上に微細なキズがついている領域、基板上に微細な異物が付着している領域等も含まれるものとする。また、平坦度不良領域を有しない基板については、平坦度データとして空白データ（ブランクデータ）が基板ＤＢ５５に格納されている（図４の基板ＩＤ  Ｎｏ．３参照）。
【００６０】
基板ＤＢ５５に格納される基板固有データとしては、基板の形状（ノッチやオリフラ等が形成されているなど）や樹脂が均一に塗布され得ない基板上の領域等に応じて設定されるインプリント処理を許可する基板上の領域（ノッチやオリフラ等を含まない円形又は矩形にて設定される領域、表面側（裏面側）転写許可領域；図３に示す二点破線で囲まれる領域）に関するデータ、基板の裏面側にインプリント処理を行うことが可能であるか否かに関するデータ（裏面使用可データ又は裏面使用不可データを含む裏面関連データ）等を例示することができる。
【００６１】
例えば、基板の表面にのみ研磨加工が施されているようなもの、基板の両面に研磨加工が施されていたとしても表面のみに表面処理が施され、裏面における樹脂の塗布特性が良好でないようなものであれば、基板ＤＢ５５に裏面使用不可データが格納される。なお、基板ＤＢ５５に裏面使用可データが格納される基板に関しては、予め測定された裏面の平坦度不良領域に関するデータ（裏面平坦度データ）、裏面側転写許可領域に関するデータもあわせて格納される（図４の領域Ｎｏ．Ｂ１等参照）。
【００６２】
図６に示すように、被転写基板ＤＢ５６には、インプリント用基板選択処理により被転写基板として選択された基板の基板ＩＤと、基板の収納場所に関するデータと、インプリント処理条件データ（例えば、基板の回転に関するデータ、インプリント予定領域や一部の転写予定領域の基板に対する移動距離に関するデータ、基板の裏面側の使用に関するデータ等）とが関連付けられて格納される。
【００６３】
図７に示すように、被転写候補基板ＤＢ５７には、インプリント用基板選択処理により基板の平坦度不良領域とインプリント予定領域とが重なっていると判断された基板の基板ＩＤと、基板の収納場所に関するデータと、インプリント処理条件データと、当該基板の平坦度不良領域と重なる転写予定領域の数情報及び位置情報と、当該基板に付与された優先順位に関するデータとが関連付けられて格納されている。
【００６４】
インプリントシステムＤＢ５８には、インプリントシステム１を構成する各装置（基板収納部２、インプリント装置３、基板搬送装置４）の機能等に基づき、インプリント予定領域を基板に対して相対的に回転させた状態でのインプリント処理が可能であるか否かに関するデータ（回転可否データ）、基板の他方面（裏面）側を用いたインプリント処理が可能であるか否かに関するデータ（裏面使用可否データ）等が格納されている。
【００６５】
例えば、インプリント装置３における基板の載置方向に対するインプリント用モールドの保持方向が一方向のみであってインプリント予定領域を基板に対して相対的に回転させた状態でのインプリント処理が不可能なインプリント装置３であれば「回転不可」との回転可否データが格納される。また、基板搬送装置４において表裏を反対にして基板をインプリント装置３に搬送するのが不可能であれば「裏面使用不可」との裏面使用可否データが格納される。さらに、基板収納部２における基板の保管環境等により基板の裏面側に異物等が付着しやすく基板の裏面側に対するインプリント処理が不可能であれば「裏面使用不可」との裏面使用可否データが格納される。一方、インプリントシステム１を構成する各装置（基板収納部２、インプリント装置３、基板搬送装置４）の機能等に基づき、インプリント予定領域を基板に対して相対的に回転させた状態でのインプリント処理が可能である場合には「回転可」との回転可否データが、基板の裏面側を用いたインプリント処理が可能である場合には「裏面使用可」との裏面使用可否データが、インプリントシステムＤＢ５８に格納される。
【００６６】
＜インプリントシステムにおける処理動作＞
このような構成を有するインプリントシステム１における処理動作を説明する。図８〜１２は、インプリント条件データ生成処理を示すフローチャートであり、図１３〜２４は、インプリント用基板選択処理を示すフローチャートであり、図２５は、インプリント用基板選択処理により選択された基板を用いたインプリントシステム１におけるインプリント処理を示すフローチャートである。
【００６７】
＜インプリント条件データ生成処理＞
まず、インプリント処理により所定数（Ｎ個）の半導体デバイスを製造するための基板を選択し、当該基板に対してインプリント処理を行うにあたり、予めインプリント条件データ生成処理を行う。
【００６８】
最初に、ユーザにより許容されるインプリント条件に関するデータ（回転許否データ、移動許否データ、裏面使用許否データ、一部移動許否データ）、複数の転写予定領域を配列してなるインプリント予定領域に関するデータ及びインプリント処理による製造予定デバイス数（Ｎ個）に関するデータがユーザにより入力され、入力された各データは、補助記憶部５３に記憶される。ＣＰＵ５１は、ユーザにより入力され、補助記憶部５３に記憶されたデータ等に基づき、後述するようにしてインプリント条件データを生成する処理（図８参照）を行う。
【００６９】
図８に示すように、まず、ＣＰＵ５１は、移動関連条件データを生成する処理を行う（Ｓ１）。
かかる移動関連条件データ生成処理においては、図９に示すように、補助記憶部５３に記憶されている移動許否データが「移動許可」とのデータを含むか否かを判断する（Ｓ１１）。移動許否データが「移動許可」とのデータを含まない場合（Ｓ１１，Ｎｏ）、ＣＰＵ５１は「移動不可」とのデータを含む移動関連条件データを生成し、補助記憶部５３に記憶する（Ｓ１２）。一方、移動許否データが「移動許可」とのデータを含むものである場合（Ｓ１１，Ｙｅｓ）、ＣＰＵ５１は「移動可」とのデータを含む移動関連条件データを生成し、補助記憶部５３に記憶する（Ｓ１３）。このようにして移動関連条件データを生成した後、インプリント条件データ生成処理（図８）に戻る。
【００７０】
次に、ＣＰＵ５１は、図８に示すように、回転関連条件データを生成する処理を行う（Ｓ２）。
かかる回転関連条件データ生成処理においては、図１０に示すように、ＣＰＵ５１は、補助記憶部５３に記憶されている回転許否データが「回転許可」とのデータを含むものであるか否かを判断する（Ｓ２１）。
【００７１】
回転許否データが「回転許可」とのデータを含むものでない場合（Ｓ２１，Ｎｏ）、ＣＰＵ５１は「回転不可」とのデータを含む回転関連条件データを生成し、補助記憶部５３に記憶する（Ｓ２２）。
【００７２】
回転許否データが「回転許可」とのデータを含むものである場合（Ｓ２１，Ｙｅｓ）、ＣＰＵ５１は、インプリントシステムＤＢ５８から回転可否データを取得し（Ｓ２３）、回転可否データが「回転可」とのデータを含むものであるか否かを判断する（Ｓ２４）。
【００７３】
回転可否データが「回転可」とのデータを含まない場合（Ｓ２４，Ｎｏ）、ＣＰＵ５１は「回転不可」とのデータを含む回転関連条件データを生成し、補助記憶部５３に記憶する（Ｓ２２）。
【００７４】
回転可否データが「回転可」とのデータを含むものである場合（Ｓ２４，Ｙｅｓ）、ＣＰＵ５１は、補助記憶部５３に記憶されているインプリント予定領域データを取得し（Ｓ２５）、当該インプリント予定領域データに基づいて、インプリント予定領域の回転対称数を判定し、インプリント予定領域が、例えば正方形等の４回対称形状であるか否かを判断する（Ｓ２６）。
【００７５】
インプリント予定領域が４回対称形状であると判断した場合（Ｓ２６，Ｙｅｓ）、ＣＰＵ５１は、「回転不可」とのデータを含む回転関連条件データを生成し、補助記憶部５３に記憶する（Ｓ２２）。
【００７６】
インプリント予定領域が、例えば長方形等の２軸対称形状であって、４回対称形状ではないと判断した場合（Ｓ２６，Ｎｏ）、ＣＰＵ５１は、「回転可」とのデータを含む回転関連条件データを生成し、補助記憶部５３に記憶する（Ｓ２７）。このようにして回転関連条件データを生成した後、インプリント条件データ生成処理（図８）に戻る。
【００７７】
続いて、ＣＰＵ５１は、図８に示すように、裏面関連条件データを生成する処理を行う（Ｓ３）。
かかる裏面関連条件データ生成処理においては、図１１に示すように、ＣＰＵ５１は、補助記憶部５３に記憶されている裏面使用許否データが「裏面許可」とのデータを含むか否かを判断する（Ｓ３１）。
【００７８】
裏面使用許否データが「裏面許可」とのデータを含まない場合（Ｓ３１，Ｎｏ）、ＣＰＵ５１は「裏面不可」とのデータを含む裏面関連条件データを生成し、補助記憶部５３に記憶する（Ｓ３２）。
【００７９】
裏面使用許否データが「裏面許可」とのデータを含むものである場合（Ｓ３１，Ｙｅｓ）、ＣＰＵ５１は、インプリントシステムＤＢ５８から裏面使用可否データを取得し（Ｓ３３）、裏面使用可否データが「裏面可」とのデータを含むものであるか否かを判断する（Ｓ３４）。
【００８０】
裏面使用可否データが「裏面可」とのデータを含まない場合（Ｓ３４，Ｎｏ）、ＣＰＵ５１は「裏面不可」とのデータを含む裏面関連条件データを生成し、補助記憶部５３に記憶する（Ｓ３２）。
【００８１】
裏面使用可否データが「裏面可」とのデータを含むものである場合（Ｓ３４，Ｙｅｓ）、ＣＰＵ５１は「裏面可」とのデータを含む裏面関連条件データを生成し、補助記憶部５３に記憶する（Ｓ３５）。このようにして裏面関連条件データを生成した後、インプリント条件データ生成処理（図８）に戻る。
【００８２】
最後に、ＣＰＵ５１は、図８に示すように、一部移動関連条件データを生成する処理を行う（Ｓ４）。
かかる一部移動関連条件データ生成処理においては、図１２に示すように、ＣＰＵ５１は、補助記憶部５３に記憶されている一部移動許否データが「一部移動許可」とのデータを含むか否かを判断する（Ｓ４１）。
【００８３】
一部移動許否データが「一部移動許可」とのデータを含まない場合（Ｓ４１，Ｎｏ）、ＣＰＵ５１は「一部移動不可」とのデータを含む一部移動関連条件データを生成し、補助記憶部５３に記憶する（Ｓ４２）。一方、一部移動許否データが「一部移動許可」とのデータを含む場合（Ｓ４１，Ｙｅｓ）、ＣＰＵ５１は「一部移動可」とのデータを含む一部移動関連条件データを生成し、補助記憶部５３に記憶する（Ｓ４３）。このようにして移動関連条件データを生成した後、インプリント条件データ生成処理（図８）を終了する。
【００８４】
＜インプリント用基板選択処理−通常転写位置＞
続いて、インプリント用基板選択処理を行う。
図１３に示すように、ＣＰＵ５１は、基板ＤＢ５５に格納されている一の基板ＩＤ、収納場所データ及び平坦度データを取得して補助記憶部５３に記憶し（Ｓ００１）、補助記憶部５３に記憶された平坦度データに平坦度不良領域に関するデータが含まれているか否かを判断する（Ｓ００２）。具体的には、平坦度データに平坦度不良領域の座標データが含まれているか否かを判断する。なお、上記Ｓ００１においては、ユーザにより予め入力されたインプリント予定領域データに基づいて、当該インプリント予定領域すべてが含まれ得る大きさの転写許可領域（表面側転写許可領域、裏面側転写許可領域）を有する基板を任意に選択し、選択された基板に関するデータを取得するものとする。
【００８５】
平坦度データに平坦度不良領域に関するデータが含まれていない、すなわち平坦度データとして空白データ（ブランクデータ）を有すると判断した場合（Ｓ００２，Ｎｏ）、基板ＩＤと収納場所データとを関連付けて被転写基板ＤＢ５６に格納し（Ｓ００３）、後述するＳ９０１の処理に移行する。
【００８６】
平坦度データに平坦度不良領域に関するデータが含まれていると判断した場合（Ｓ００２，Ｙｅｓ）、補助記憶部５３に記憶された平坦度データ及びインプリント予定領域データに基づいて、平坦度不良領域の点ＡのＸ座標値及びインプリント予定領域の点αのＸ座標値、平坦度不良領域の点ＡのＹ座標値及びインプリント予定領域の点αのＹ座標値、平坦度不良領域の点ＢのＸ座標値及びインプリント予定領域の点βのＸ座標値、並びに平坦度不良領域の点ＢのＹ座標値及びインプリント予定領域の点βのＹ座標値をそれぞれ対比し、点Ａ及び点αの各座標値のうちの大きい値をそれぞれＸleft及びＹlowと定義し、点Ｂ及び点βの各座標値のうちの小さい値をそれぞれＸright及びＹupと定義する（Ｓ００４）。
【００８７】
次に、ＣＰＵ５１は、Ｘleft及びＸrightを対比し、ＸleftがＸrightよりも小さいか否かを判断し（Ｓ００５）、ＸleftがＸrightよりも大きいと判断した場合（Ｓ００５，Ｎｏ）、平坦度不良領域とインプリント予定領域とが重なっていないと判定し、後述するＳ００８の処理に移行する。
【００８８】
一方、ＸleftがＸrightよりも小さいと判断した場合（Ｓ００５，Ｙｅｓ）、ＣＰＵ５１は、Ｙlow及びＹupを対比し、ＹlowがＹupよりも小さいか否かを判断する（Ｓ００６）。
【００８９】
ＹlowがＹupよりも大きいと判断した場合（Ｓ００６，Ｎｏ）、平坦度不良領域とインプリント予定領域とが重なっていないと判定し、後述するＳ００８の処理に移行する。
【００９０】
ＹlowがＹupよりも小さいと判断した場合（Ｓ００６，Ｙｅｓ）、ＣＰＵ５１は、平坦度不良領域とインプリント予定領域とが重なっていると判定し、インプリント予定領域に含まれる複数の転写予定領域のうち、平坦度不良領域と重なっている転写予定領域（重なり転写予定領域）を特定し、補助記憶部５３に記憶する（Ｓ００７）。
【００９１】
具体的には、平坦度不良領域と重なっている転写予定領域は、以下のようにして特定することができる。
【００９２】
まず、平坦度不良領域の点ＢのＸ座標値及びＹ座標値のそれぞれよりも、点α’のＸ座標値及びＹ座標値のそれぞれが小さい転写予定領域（点α’のＸ座標値＜点ＢのＸ座標値、かつ点α’のＹ座標値＜点ＢのＹ座標値）を抽出する。次に、抽出された転写予定領域の中から、平坦度不良領域の点ＡのＸ座標値及びＹ座標値のそれぞれよりも、点β’のＸ座標値及びＹ座標値のそれぞれが大きい転写予定領域（点β’のＸ座標値＞点ＡのＸ座標値、かつ点β’のＹ座標値＞点ＡのＹ座標値）をさらに抽出する。このようにして抽出された転写予定領域を重なり転写予定領域として特定することができる。
【００９３】
次に、ＣＰＵ５１は、インプリント予定領域との重なりの有無を判定していない他の平坦度不良領域データが補助記憶部５３に記憶されているか否かを判断し（Ｓ００８）、他の平坦度不良領域データが記憶されていると判断した場合には（Ｓ００８，Ｙｅｓ）、上記Ｓ００４〜Ｓ００７の処理を再度行い、他の平坦度不良領域データが記憶されていないと判断した場合には（Ｓ００８，Ｎｏ）、上記Ｓ００７において重なり転写予定領域が特定されているか否かを判断する（Ｓ００９）。
【００９４】
重なり転写予定領域が特定されていないと判断した場合（Ｓ００９，Ｎｏ）、ＣＰＵ５１は、基板ＩＤと収納場所データを関連付けて被転写基板ＤＢ５６に格納し（Ｓ００３）、後述するＳ９０１の処理に移行する。
【００９５】
一方、重なり転写予定領域が特定されていると判断した場合（Ｓ００９，Ｙｅｓ）、ＣＰＵ５１は、基板ＩＤと、収納場所データと、重なり転写予定領域データとを関連付けて被転写候補基板ＤＢ５７に格納する（Ｓ０１０）。
【００９６】
＜インプリント用基板選択処理−回転＞
上記Ｓ０１０にて各種データを関連付けて被転写候補基板ＤＢ５７に格納した後、図１４に示すように、補助記憶部５３に記憶されている回転関連条件データを取得し、当該回転関連条件データに基づいて、インプリント予定領域を基板に対して相対的に回転させた状態でのインプリント処理が可能であるか否かを判断する（Ｓ１０１）。
【００９７】
回転不可と判断した場合（Ｓ１０１，Ｎｏ）、次の重なり判定処理（図１５参照）に移行する。一方、回転可能と判断した場合（Ｓ１０１，Ｙｅｓ）、ＣＰＵ５１は、補助記憶部５３に記憶されている平坦度データに基づいて、基板の中心を軸としてその軸周りに９０度回転させたときの平坦度不良領域の点Ａ及び点Ｂの座標を算出し、当該座標データ及び座標算出回数に関するデータを補助記憶部５３に記憶する（Ｓ１０２）。
【００９８】
次に、ＣＰＵ５１は、補助記憶部５３に記憶されているインプリント予定領域データ及び基板回転後の平坦度不良領域の座標データに基づいて、平坦度不良領域の点ＡのＸ座標値及びインプリント予定領域の点αのＸ座標値、平坦度不良領域の点ＡのＹ座標値及びインプリント予定領域の点αのＹ座標値、平坦度不良領域の点ＢのＸ座標値及びインプリント予定領域の点βのＸ座標値、並びに平坦度不良領域の点ＢのＹ座標値及びインプリント予定領域の点βのＹ座標値をそれぞれ対比し、点Ａ及び点αの各座標値のうちの大きい値をそれぞれＸleft及びＹlowと定義し、点Ｂ及び点βの各座標値のうちの小さい値をそれぞれＸright及びＹupと定義する（Ｓ１０３）。
【００９９】
次に、ＣＰＵ５１は、Ｘleft及びＸrightを対比し、ＸleftがＸrightよりも小さいか否かを判断し（Ｓ１０４）、ＸleftがＸrightよりも大きいと判断した場合（Ｓ１０４，Ｎｏ）、平坦度不良領域とインプリント予定領域とが重なっていないと判定し、後述するＳ１０７の処理に移行する。
【０１００】
一方、ＸleftがＸrightよりも小さいと判断した場合（Ｓ１０４，Ｙｅｓ）、ＣＰＵ５１は、Ｙlow及びＹupを対比し、ＹlowがＹupよりも小さいか否かを判断する（Ｓ１０５）。
【０１０１】
ＹlowがＹupよりも大きいと判断した場合（Ｓ１０５，Ｎｏ）、平坦度不良領域とインプリント予定領域とが重なっていないと判定し、後述するＳ１０７の処理に移行する。
【０１０２】
ＹlowがＹupよりも小さいと判断した場合（Ｓ１０５，Ｙｅｓ）、ＣＰＵ５１は、平坦度不良領域とインプリント予定領域とが重なっていると判定し、インプリント予定領域に含まれる複数の転写予定領域のうち、平坦度不良領域と重なっている転写予定領域（重なり転写予定領域）を特定し、補助記憶部５３に記憶する（Ｓ１０６）。
【０１０３】
続いて、ＣＰＵ５１は、インプリント予定領域との重なりの有無を判定していない他の平坦度不良領域データが補助記憶部５３に記憶されているか否かを判断し（Ｓ１０７）、他の平坦度不良領域データが記憶されていると判断した場合には（Ｓ１０７，Ｙｅｓ）、上記Ｓ１０３〜Ｓ１０６の処理を再度行い、他の平坦度不良領域データが記憶されていないと判断した場合には（Ｓ１０７，Ｎｏ）、上記Ｓ１０６において重なり転写予定領域が特定されているか否かを判断する（Ｓ１０８）。
【０１０４】
重なり転写予定領域が特定されていないと判断した場合（Ｓ１０８，Ｎｏ）、ＣＰＵ５１は、基板ＩＤと、収納場所データと、インプリント処理条件データとを関連付けて被転写基板ＤＢ５６に格納し（Ｓ１０９）、後述するＳ９０１の処理に移行する。
【０１０５】
一方、重なり転写予定領域が特定されていると判断した場合（Ｓ１０８，Ｙｅｓ）、ＣＰＵ５１は、基板ＩＤと、収納場所データと、重なり転写予定領域データと、インプリント処理条件データとを関連付けて被転写候補基板ＤＢ５７に格納する（Ｓ１１０）。
【０１０６】
＜インプリント用基板選択処理−移動＞
上記Ｓ１１０にて各種データを関連付けて被転写候補基板ＤＢ５７に格納した後、又は上記Ｓ１０１にて回転不可と判断された後、図１５に示すように、補助記憶部５３に記憶されている移動関連条件データを取得し、当該移動関連条件データに基づいて、インプリント予定領域を基板に対して相対的に移動させた状態でのインプリント処理が可能であるか否かを判断する（Ｓ２０１）。
【０１０７】
移動不可と判断した場合（Ｓ２０１，Ｎｏ）、後述の裏面使用に関する重なり判定処理（図１７参照）に移行する。一方、移動可能と判断した場合（Ｓ２０１，Ｙｅｓ）、ＣＰＵ５１は、基板ＩＤに基づいて基板ＤＢ５５から当該基板の表面側の転写許可領域データを取得し（Ｓ２０２）、当該転写許可領域の座標データとインプリント予定領域の座標データとから、インプリント予定領域の移動に際して基準となる矩形の領域（移動領域）を設定し、当該移動領域の座標データを算出して補助記憶部５３に記憶する（Ｓ２０３）。
【０１０８】
なお、移動領域の座標データ（矩形領域の対角に位置する点Ａ’及び点Ｂ’の座標データ（点Ａ’（ｘA'，ｙA'）、点Ｂ’（ｘB'，ｙB'）；図３参照）は、転写許可領域の点α’’及び点β’’の座標データ、並びにインプリント予定領域の点α及び点βの座標データから、下記式（１）〜（４）により算出する。
【０１０９】
ｘA'＝ｘα''−ｘα  …（１）
ｙA'＝ｙα''−ｙα  …（２）
ｘB'＝ｘβ''−ｘβ  …（３）
ｙB'＝ｙβ''−ｙβ  …（４）
【０１１０】
ＣＰＵ５１は、インプリント予定領域の中心を通るＸ軸及びＹ軸のそれぞれに平行な補助線を移動領域内に引き、補助記憶部５３に記憶されている移動距離に関するデータ（Ｘpitch，Ｙpitch）に基づいて、各補助線に平行、かつ当該移動距離ごとに離間した補助線を引き、それらの補助線の各交点及び各補助線と移動領域の最外周との交点の座標を算出して、補助記憶部５３に記憶する（Ｓ２０４）。
【０１１１】
次に、インプリント予定領域の中心を移動領域内の任意の一の交点に移動させたときにおけるインプリント予定領域の座標データ（点α及び点βの座標値）を算出し、補助記憶部５３に記憶する（Ｓ２０５）。
【０１１２】
続いて、ＣＰＵ５１は、補助記憶部５３に記憶された平坦度データ及び移動後のインプリント予定領域の座標データに基づいて、平坦度不良領域の点ＡのＸ座標値及びインプリント予定領域の点αのＸ座標値、平坦度不良領域の点ＡのＹ座標値及びインプリント予定領域の点αのＹ座標値、平坦度不良領域の点ＢのＸ座標値及びインプリント予定領域の点βのＸ座標値、並びに平坦度不良領域の点ＢのＹ座標値及びインプリント予定領域の点βのＹ座標値をそれぞれ対比し、点Ａ及び点αの各座標値のうちの大きい値をそれぞれＸleft及びＹlowと定義し、点Ｂ及び点βの各座標値のうちの小さい値をそれぞれＸright及びＹupと定義する。そして、ＣＰＵ５１は、Ｘleft及びＸrightを対比し、ＸleftがＸrightよりも小さいか否かを判断する（Ｓ２０６）。
【０１１３】
ＸleftがＸrightよりも大きいと判断した場合（Ｓ２０６，Ｎｏ）、平坦度不良領域とインプリント予定領域とが重なっていないと判定し、後述するＳ２０９の処理に移行する。
【０１１４】
一方、ＸleftがＸrightよりも小さいと判断した場合（Ｓ２０６，Ｙｅｓ）、ＣＰＵ５１は、Ｙlow及びＹupを対比し、ＹlowがＹupよりも小さいか否かを判断する（Ｓ２０７）。ＹlowがＹupよりも大きいと判断した場合（Ｓ２０７，Ｎｏ）、平坦度不良領域とインプリント予定領域とが重なっていないと判定し、後述するＳ２０９の処理に移行する。
【０１１５】
一方、ＹlowがＹupよりも小さいと判断した場合（Ｓ２０７，Ｙｅｓ）、ＣＰＵ５１は、インプリント予定領域に含まれる複数の転写予定領域のうち、平坦度不良領域と重なっている転写予定領域（重なり転写予定領域）を特定し、補助記憶部５３に記憶する（Ｓ２０８）。
【０１１６】
続いて、ＣＰＵ５１は、インプリント予定領域との重なりの有無を判定していない他の平坦度不良領域データが補助記憶部５３に記憶されているか否かを判断し（Ｓ２０９）、他の平坦度不良領域データが記憶されていると判断した場合には（Ｓ２０９，Ｙｅｓ）、上記Ｓ２０６〜Ｓ２０８の処理を再度行い、他の平坦度不良領域データが記憶されていないと判断した場合には（Ｓ２０９，Ｎｏ）、上記Ｓ２０８において重なり転写予定領域が特定されているか否かを判断する（Ｓ２１０）。
【０１１７】
重なり転写予定領域が特定されていないと判断した場合（Ｓ２１０，Ｎｏ）、ＣＰＵ５１は、基板ＩＤと、収納場所データと、インプリント処理条件データとを関連付けて被転写基板ＤＢ５６に格納し（Ｓ２１１）、後述するＳ９０１の処理に移行する。
【０１１８】
一方、重なり転写予定領域が特定されていると判断した場合（Ｓ２１０，Ｙｅｓ）、ＣＰＵ５１は、すべての交点における重なり判定処理を行ったか否かを判断し（Ｓ２１２）、すべての交点における重なり判定処理を行っていないと判断した場合（Ｓ２１２，Ｎｏ）、上記Ｓ２０５〜Ｓ２１０の処理を再度行う。
【０１１９】
すべての交点における重なり判定処理を行ったと判断した場合（Ｓ２１２，Ｙｅｓ）、ＣＰＵ５１は、基板ＩＤと、収納場所データと、重なり転写予定領域データと、インプリント処理条件データとを関連付けて被転写候補基板ＤＢ５７に格納する（Ｓ２１３）。
【０１２０】
＜インプリント用基板選択処理−回転・移動＞
上記Ｓ２１３にて各種データを関連付けて被転写候補基板ＤＢ５７に格納した後、図１６に示すように、ＣＰＵ５１は、補助記憶部５３に記憶されているインプリント条件データを取得し、インプリント予定領域を基板に対して相対的に回転させた状態でのインプリント処理が可能であるか否かを判断する（Ｓ３０１）。
【０１２１】
回転不可と判断した場合（Ｓ３０１，Ｎｏ）、次の重なり判定処理（図１７参照）に移行する。一方、回転可能と判断した場合（Ｓ３０１，Ｙｅｓ）、ＣＰＵ５１は、補助記憶部５３に記憶されている平坦度データに基づいて、基板の中心を軸としてその軸周りに９０度回転させたときの平坦度不良領域の点Ａ及び点Ｂの座標を算出し、当該座標データ及び座標算出回数に関するデータを補助記憶部５３に記憶する（Ｓ３０２）。
【０１２２】
次に、ＣＰＵ５１は、インプリント予定領域を基板に対して相対的に回転させたときにおける、基板上の移動領域の各交点座標（上記Ｓ２０３にて設定された移動領域（図３参照）を基板の中心を軸としてその軸周りに９０度回転させた領域の各交点座標）を算出して、補助記憶部５３に記憶する（Ｓ３０３）。
【０１２３】
そして、ＣＰＵ５１は、インプリント予定領域の中心を任意の一の交点に移動させたときにおけるインプリント予定領域の座標データ（点α及び点βの座標値）を算出し、補助記憶部５３に記憶する（Ｓ３０４）。
【０１２４】
続いて、ＣＰＵ５１は、補助記憶部５３に記憶された回転後の平坦度不良領域の座標データ及び移動後のインプリント予定領域の座標データに基づいて、平坦度不良領域の点ＡのＸ座標値及びインプリント予定領域の点αのＸ座標値、平坦度不良領域の点ＡのＹ座標値及びインプリント予定領域の点αのＹ座標値、平坦度不良領域の点ＢのＸ座標値及びインプリント予定領域の点βのＸ座標値、並びに平坦度不良領域の点ＢのＹ座標値及びインプリント予定領域の点βのＹ座標値をそれぞれ対比し、点Ａ及び点αの各座標値のうちの大きい値をそれぞれＸleft及びＹlowと定義し、点Ｂ及び点βの各座標値のうちの小さい値をそれぞれＸright及びＹupと定義する。そして、ＣＰＵ５１は、Ｘleft及びＸrightを対比し、ＸleftがＸrightよりも小さいか否かを判断する（Ｓ３０５）。
【０１２５】
ＸleftがＸrightよりも大きいと判断した場合（Ｓ３０５，Ｎｏ）、平坦度不良領域とインプリント予定領域とが重なっていないと判定し、後述するＳ３０８の処理に移行する。
【０１２６】
一方、ＸleftがＸrightよりも小さいと判断した場合（Ｓ３０５，Ｙｅｓ）、ＣＰＵ５１は、Ｙlow及びＹupを対比し、ＹlowがＹupよりも小さいか否かを判断する（Ｓ３０６）。ＹlowがＹupよりも大きいと判断した場合（Ｓ３０６，Ｎｏ）、平坦度不良領域とインプリント予定領域とが重なっていないと判定し、後述するＳ３０８の処理に移行する。
【０１２７】
一方、ＹlowがＹupよりも小さいと判断した場合（Ｓ３０６，Ｙｅｓ）、ＣＰＵ５１は、インプリント予定領域に含まれる複数の転写予定領域のうち、平坦度不良領域と重なっている転写予定領域（重なり転写予定領域）を特定し、補助記憶部５３に記憶する（Ｓ３０７）。
【０１２８】
続いて、ＣＰＵ５１は、インプリント予定領域との重なりの有無を判定していない他の平坦度不良領域データが補助記憶部５３に記憶されているか否かを判断し（Ｓ３０８）、他の平坦度不良領域データが記憶されていると判断した場合には（Ｓ３０８，Ｙｅｓ）、上記Ｓ３０５〜Ｓ３０７の処理を再度行い、他の平坦度不良領域データが記憶されていないと判断した場合には（Ｓ３０８，Ｎｏ）、上記Ｓ３０７において重なり転写予定領域が特定されているか否かを判断する（Ｓ３０９）。
【０１２９】
重なり転写予定領域が特定されていないと判断した場合（Ｓ３０９，Ｎｏ）、ＣＰＵ５１は、基板ＩＤと、収納場所データと、インプリント処理条件データとを関連付けて被転写基板ＤＢ５６に格納し（Ｓ３１０）、後述するＳ９０１の処理に移行する。
【０１３０】
一方、重なり転写予定領域が特定されていると判断した場合（Ｓ３０９，Ｙｅｓ）、ＣＰＵ５１は、すべての交点における重なり判定処理を行ったか否かを判断し（Ｓ３１１）、すべての交点における重なり判定処理を行っていないと判断した場合（Ｓ３１１，Ｎｏ）、上記Ｓ３０４〜Ｓ３０９の処理を再度行う。
【０１３１】
一方、すべての交点における重なり判定処理を行ったと判断した場合（Ｓ３１１，Ｙｅｓ）、ＣＰＵ５１は、基板ＩＤと、収納場所データと、重なり転写予定領域データと、インプリント処理条件データとを関連付けて被転写候補基板ＤＢ５７に格納する（Ｓ３１２）。
【０１３２】
＜インプリント用基板選択処理−裏面＞
上記Ｓ２０１にて移動不可と判断された後、上記Ｓ３０１にて回転不可と判断された後、又は上記Ｓ３１２にて各種データを関連付けて被転写候補基板ＤＢ５７に格納した後、図１７に示すように、基板ＤＢ５５に格納された基板固有データ及び補助記憶部５３に記憶されている裏面使用関連条件データを取得し、基板の裏面側を用いたインプリント処理が可能であるか否かを判断する（Ｓ４０１）。
【０１３３】
裏面使用不可と判断した場合（Ｓ４０１，Ｎｏ）、続いての重なり判定処理に移行する（図２１参照）。一方、裏面使用可能と判断した場合（Ｓ４０１，Ｙｅｓ）、補助記憶部５３に記憶された平坦度データに裏面側の平坦度不良領域に関するデータが含まれているか否かを判断する（Ｓ４０２）。平坦度データに裏面側の平坦度不良領域に関するデータが含まれていないと判断した場合（Ｓ４０２，Ｎｏ）、基板ＩＤと収納場所データとインプリント処理条件データとを関連付けて被転写基板ＤＢ５６に格納し（Ｓ４０３）、後述するＳ９０１の処理に移行する。
【０１３４】
一方、平坦度データに裏面側の平坦度不良領域に関するデータが含まれていると判断した場合（Ｓ４０２，Ｙｅｓ）、ＣＰＵ５１は、補助記憶部５３に記憶された平坦度データ及びインプリント予定領域データに基づいて、裏面側の平坦度不良領域の点ＡのＸ座標値及びインプリント予定領域の点αのＸ座標値、裏面側の平坦度不良領域の点ＡのＹ座標値及びインプリント予定領域の点αのＹ座標値、裏面側の平坦度不良領域の点ＢのＸ座標値及びインプリント予定領域の点βのＸ座標値、並びに裏面側の平坦度不良領域の点ＢのＹ座標値及びインプリント予定領域の点βのＹ座標値をそれぞれ対比し、点Ａ及び点αの各座標値のうちの大きい値をそれぞれＸleft及びＹlowと定義し、点Ｂ及び点βの各座標値のうちの小さい値をそれぞれＸright及びＹupと定義する（Ｓ４０４）。
【０１３５】
ＣＰＵ５１は、Ｘleft及びＸrightを対比し、ＸleftがＸrightよりも小さいか否かを判断する（Ｓ４０５）。ＸleftがＸrightよりも大きいと判断した場合（Ｓ４０５，Ｎｏ）、裏面側の平坦度不良領域とインプリント予定領域とが重なっていないと判定し、後述するＳ４０８の処理に移行する。
【０１３６】
一方、ＸleftがＸrightよりも小さいと判断した場合（Ｓ４０５，Ｙｅｓ）、ＣＰＵ５１は、Ｙlow及びＹupを対比し、ＹlowがＹupよりも小さいか否かを判断する（Ｓ４０６）。
【０１３７】
ＹlowがＹupよりも大きいと判断した場合（Ｓ４０６，Ｎｏ）、裏面側の平坦度不良領域とインプリント予定領域とが重なっていないと判定し、後述するＳ４０８の処理に移行する。
【０１３８】
ＹlowがＹupよりも小さいと判断した場合（Ｓ４０６，Ｙｅｓ）、ＣＰＵ５１は、裏面側の平坦度不良領域とインプリント予定領域とが重なっていると判定し、インプリント予定領域に含まれる複数の転写予定領域のうち、裏面側の平坦度不良領域と重なっている転写予定領域（重なり転写予定領域）を特定し、補助記憶部５３に記憶する（Ｓ４０７）。
【０１３９】
次に、ＣＰＵ５１は、インプリント予定領域との重なりの有無を判定していない他の裏面側平坦度不良領域データが補助記憶部５３に記憶されているか否かを判断し（Ｓ４０８）、他の裏面側平坦度不良領域データが記憶されていると判断した場合には（Ｓ４０８，Ｙｅｓ）、上記Ｓ４０４〜Ｓ４０７の処理を再度行い、他の平坦度不良領域データが記憶されていないと判断した場合には（Ｓ４０８，Ｎｏ）、上記Ｓ４０７において重なり転写予定領域が特定されているか否かを判断する（Ｓ４０９）。
【０１４０】
重なり転写予定領域が特定されていないと判断した場合（Ｓ４０９，Ｎｏ）、ＣＰＵ５１は、基板ＩＤと、収納場所データと、インプリント処理条件データとを関連付けて被転写基板ＤＢ５６に格納し（Ｓ４０３）、後述するＳ９０１の処理に移行する。
【０１４１】
一方、重なり転写予定領域が特定されていると判断した場合（Ｓ４０９，Ｙｅｓ）、ＣＰＵ５１は、基板ＩＤと、収納場所データと、重なり転写予定領域データと、インプリント処理条件データとを関連付けて被転写候補基板ＤＢ５７に格納する（Ｓ４１０）。
【０１４２】
＜インプリント用基板選択処理−裏面・回転＞
上記Ｓ４１０にて基板ＩＤと収納場所データと重なり転写予定領域データとインプリント処理条件データとを関連付けて被転写候補基板ＤＢ５７に格納した後、図１８に示すように、ＣＰＵ５１は、基板ＤＢ５５に格納された基板固有データ及び補助記憶部５３に記憶されている回転関連条件データを取得し、インプリント予定領域を基板に対して相対的に回転させた状態でのインプリント処理が可能であるか否かを判断する（Ｓ５０１）。
【０１４３】
回転不可と判断した場合には（Ｓ５０１，Ｎｏ）、次の重なり判定処理（図１９参照）に移行する。一方、回転可と判断した場合には（Ｓ５０１，Ｙｅｓ）、ＣＰＵ５１は、補助記憶部５３に記憶された平坦度データに基づいて、基板の中心を軸としてその軸周りに９０度回転させたときの裏面側の平坦度不良領域の点Ａ及び点Ｂの座標を算出し、当該座標データ及び座標算出回数に関するデータを補助記憶部５３に記憶する（Ｓ５０２）。
【０１４４】
次に、ＣＰＵ５１は、補助記憶部５３に記憶されたインプリント予定領域データ及び基板回転後の裏面側の平坦度不良領域の座標データに基づいて、裏面側の平坦度不良領域の点ＡのＸ座標値及びインプリント予定領域の点αのＸ座標値、裏面側の平坦度不良領域の点ＡのＹ座標値及びインプリント予定領域の点αのＹ座標値、裏面側の平坦度不良領域の点ＢのＸ座標値及びインプリント予定領域の点βのＸ座標値、並びに裏面側の平坦度不良領域の点ＢのＹ座標値及びインプリント予定領域の点βのＹ座標値をそれぞれ対比し、点Ａ及び点αの各座標値のうちの大きい値をそれぞれＸleft及びＹlowと定義し、点Ｂ及び点βの各座標値のうちの小さい値をそれぞれＸright及びＹupと定義する（Ｓ５０３）。
【０１４５】
ＣＰＵ５１は、Ｘleft及びＸrightを対比し、ＸleftがＸrightよりも小さいか否かを判断する（Ｓ５０４）。ＸleftがＸrightよりも大きいと判断した場合（Ｓ５０４，Ｎｏ）、裏面側の平坦度不良領域とインプリント予定領域とが重なっていないと判定し、後述するＳ５０７の処理に移行する。
【０１４６】
一方、ＸleftがＸrightよりも小さいと判断した場合（Ｓ５０４，Ｙｅｓ）、ＣＰＵ５１は、Ｙlow及びＹupを対比し、ＹlowがＹupよりも小さいか否かを判断する（Ｓ５０５）。ＹlowがＹupよりも大きいと判断した場合（Ｓ５０５，Ｎｏ）、裏面側の平坦度不良領域とインプリント予定領域とが重なっていないと判定し、後述するＳ５０７の処理に移行する。
【０１４７】
一方、ＹlowがＹupよりも小さいと判断した場合（Ｓ５０５，Ｙｅｓ）、ＣＰＵ５１は、平坦度不良領域とインプリント予定領域とが重なっていると判定し、インプリント予定領域に含まれる複数の転写予定領域のうち、裏面側の平坦度不良領域と重なっている転写予定領域（重なり転写予定領域）を特定し、補助記憶部５３に記憶する（Ｓ５０６）。
【０１４８】
続いて、ＣＰＵ５１は、インプリント予定領域との重なりの有無を判定していない他の裏面側平坦度不良領域データが補助記憶部５３に記憶されているか否かを判断し（Ｓ５０７）、他の裏面側平坦度不良領域データが記憶されていると判断した場合には（Ｓ５０７，Ｙｅｓ）、上記Ｓ５０３〜Ｓ５０６の処理を再度行い、他の平坦度不良領域データが記憶されていないと判断した場合には（Ｓ５０７，Ｎｏ）、上記Ｓ５０６において重なり転写予定領域が特定されているか否かを判断する（Ｓ５０８）。
【０１４９】
重なり転写予定領域が特定されていないと判断した場合（Ｓ５０８，Ｎｏ）、ＣＰＵ５１は、基板ＩＤと、収納場所データと、インプリント処理条件データとを関連付けて被転写基板ＤＢ５６に格納し（Ｓ５０９）、後述するＳ９０１の処理に移行する。
【０１５０】
一方、重なり転写予定領域が特定されていると判断した場合（Ｓ５０８，Ｙｅｓ）、ＣＰＵ５１は、基板ＩＤと、収納場所データと、重なり転写予定領域データと、インプリント処理条件データとを関連付けて被転写候補基板ＤＢ５７に格納する（Ｓ５１０）。
【０１５１】
＜インプリント用基板選択処理−裏面・移動＞
上記Ｓ５１０にて各種データを関連付けて被転写候補基板ＤＢ５７に格納した後、又は上記Ｓ５０１にて回転不可と判断された後、図１９に示すように、補助記憶部５３に記憶されている移動関連条件データを取得し、当該移動関連条件データに基づいて、インプリント予定領域を基板に対して相対的に移動させた状態でのインプリント処理が可能であるか否かを判断する（Ｓ６０１）。
【０１５２】
移動不可と判断した場合（Ｓ６０１，Ｎｏ）、後述の重なり判定処理（図２２参照）に移行する。一方、移動可能と判断した場合（Ｓ６０１，Ｙｅｓ）、ＣＰＵ５１は、基板ＩＤに基づいて基板ＤＢ５５から当該基板の裏面側の転写許可領域データを取得し（Ｓ６０２）、当該転写許可領域の座標データとインプリント予定領域の座標データとから、インプリント予定領域の移動に際して基準となる矩形の領域（移動領域）を設定し、当該移動領域の座標データを算出して補助記憶部５３に記憶する（Ｓ６０３）。
【０１５３】
なお、移動領域の座標データ（矩形領域の対角に位置する点Ａ’及び点Ｂ’の座標データ（点Ａ’（ｘA'，ｙA'）、点Ｂ’（ｘB'，ｙB'）；図３参照）は、転写許可領域の点α’’及び点β’’の座標データ、並びにインプリント予定領域の点α及び点βの座標データから、下記式（１）〜（４）により算出する。
【０１５４】
ｘA'＝ｘα''−ｘα  …（１）
ｙA'＝ｙα''−ｙα  …（２）
ｘB'＝ｘβ''−ｘβ  …（３）
ｙB'＝ｙβ''−ｙβ  …（４）
【０１５５】
ＣＰＵ５１は、インプリント予定領域の中心を通るＸ軸及びＹ軸のそれぞれに平行な補助線を移動領域内に引き、補助記憶部５３に記憶されている移動距離に関するデータ（Ｘpitch，Ｙpitch）に基づいて、各補助線に平行、かつ当該移動距離ごとに離間した補助線を引き、それらの補助線の各交点及び各補助線と移動領域の最外周との交点の座標を算出して、補助記憶部５３に記憶する（Ｓ６０４）。
【０１５６】
次に、インプリント予定領域の中心を移動領域内の任意の一の交点に移動させたときにおけるインプリント予定領域の座標データ（点α及び点βの座標値）を算出し、補助記憶部５３に記憶する（Ｓ６０５）。
【０１５７】
続いて、ＣＰＵ５１は、補助記憶部５３に記憶された平坦度データ及び移動後のインプリント予定領域の座標データに基づいて、平坦度不良領域の点ＡのＸ座標値及びインプリント予定領域の点αのＸ座標値、平坦度不良領域の点ＡのＹ座標値及びインプリント予定領域の点αのＹ座標値、平坦度不良領域の点ＢのＸ座標値及びインプリント予定領域の点βのＸ座標値、並びに平坦度不良領域の点ＢのＹ座標値及びインプリント予定領域の点βのＹ座標値をそれぞれ対比し、点Ａ及び点αの各座標値のうちの大きい値をそれぞれＸleft及びＹlowと定義し、点Ｂ及び点βの各座標値のうちの小さい値をそれぞれＸright及びＹupと定義する。そして、ＣＰＵ５１は、Ｘleft及びＸrightを対比し、ＸleftがＸrightよりも小さいか否かを判断する（Ｓ６０６）。
【０１５８】
ＸleftがＸrightよりも大きいと判断した場合（Ｓ６０６，Ｎｏ）、平坦度不良領域とインプリント予定領域とが重なっていないと判定し、後述するＳ６０９の処理に移行する。
【０１５９】
一方、ＸleftがＸrightよりも小さいと判断した場合（Ｓ６０６，Ｙｅｓ）、ＣＰＵ５１は、Ｙlow及びＹupを対比し、ＹlowがＹupよりも小さいか否かを判断する（Ｓ６０７）。ＹlowがＹupよりも大きいと判断した場合（Ｓ６０７，Ｎｏ）、平坦度不良領域とインプリント予定領域とが重なっていないと判定し、後述するＳ６０９の処理に移行する。
【０１６０】
一方、ＹlowがＹupよりも小さいと判断した場合（Ｓ６０７，Ｙｅｓ）、ＣＰＵ５１は、インプリント予定領域に含まれる複数の転写予定領域のうち、平坦度不良領域と重なっている転写予定領域（重なり転写予定領域）を特定し、補助記憶部５３に記憶する（Ｓ６０８）。
【０１６１】
続いて、ＣＰＵ５１は、インプリント予定領域との重なりの有無を判定していない他の平坦度不良領域データが補助記憶部５３に記憶されているか否かを判断し（Ｓ６０９）、他の平坦度不良領域データが記憶されていると判断した場合には（Ｓ６０９，Ｙｅｓ）、上記Ｓ６０６〜Ｓ６０８の処理を再度行い、他の平坦度不良領域データが記憶されていないと判断した場合には（Ｓ６０９，Ｎｏ）、上記Ｓ６０８において重なり転写予定領域が特定されているか否かを判断する（Ｓ６１０）。
【０１６２】
重なり転写予定領域が特定されていないと判断した場合（Ｓ６１０，Ｎｏ）、ＣＰＵ５１は、基板ＩＤと、収納場所データと、インプリント処理条件データとを関連付けて被転写基板ＤＢ５６に格納し（Ｓ６１１）、後述するＳ９０１の処理に移行する。
【０１６３】
一方、重なり転写予定領域が特定されていると判断した場合（Ｓ６１０，Ｙｅｓ）、ＣＰＵ５１は、すべての交点における重なり判定処理を行ったか否かを判断し（Ｓ６１２）、すべての交点における重なり判定処理を行っていないと判断した場合（Ｓ６１２，Ｎｏ）、上記Ｓ６０５〜Ｓ６１０の処理を再度行う。
【０１６４】
一方、すべての交点における重なり判定処理を行ったと判断した場合（Ｓ６１２，Ｙｅｓ）、ＣＰＵ５１は、基板ＩＤと、収納場所データと、重なり転写予定領域データと、インプリント処理条件データとを関連付けて被転写候補基板ＤＢ５７に格納する（Ｓ６１３）。
【０１６５】
＜インプリント用基板選択処理−裏面・回転・移動＞
上記Ｓ６１３にて各種データを関連付けて被転写候補基板ＤＢ５７に格納した後、図２０に示すように、ＣＰＵ５１は、補助記憶部５３に記憶されているインプリント条件データを取得し、インプリント予定領域を基板に対して相対的に回転させた状態でのインプリント処理が可能であるか否かを判断する（Ｓ７０１）。
【０１６６】
回転不可と判断した場合（Ｓ７０１，Ｎｏ）、次の重なり判定処理（図２２参照）に移行する。一方、回転可能と判断した場合（Ｓ７０１，Ｙｅｓ）、ＣＰＵ５１は、補助記憶部５３に記憶されている平坦度データに基づいて、基板の中心を軸としてその軸周りに９０度回転させたときの平坦度不良領域の点Ａ及び点Ｂの座標を算出し、当該座標データ及び座標算出回数に関するデータを補助記憶部５３に記憶する（Ｓ７０２）。
【０１６７】
次に、ＣＰＵ５１は、インプリント予定領域を基板に対して相対的に回転させたときにおける、基板上の移動領域の各交点座標（上記Ｓ６０３にて設定された移動領域（図３参照）を基板の中心を軸としてその軸周りに９０度回転させた領域の各交点座標）を算出して、補助記憶部５３に記憶する（Ｓ７０３）。
【０１６８】
そして、ＣＰＵ５１は、インプリント予定領域の中心を任意の一の交点に移動させたときにおけるインプリント予定領域の座標データ（点α及び点βの座標値）を算出し、補助記憶部５３に記憶する（Ｓ７０４）。
【０１６９】
続いて、ＣＰＵ５１は、補助記憶部５３に記憶された回転後の平坦度不良領域の座標データ及び移動後のインプリント予定領域の座標データに基づいて、平坦度不良領域の点ＡのＸ座標値及びインプリント予定領域の点αのＸ座標値、平坦度不良領域の点ＡのＹ座標値及びインプリント予定領域の点αのＹ座標値、平坦度不良領域の点ＢのＸ座標値及びインプリント予定領域の点βのＸ座標値、並びに平坦度不良領域の点ＢのＹ座標値及びインプリント予定領域の点βのＹ座標値をそれぞれ対比し、点Ａ及び点αの各座標値のうちの大きい値をそれぞれＸleft及びＹlowと定義し、点Ｂ及び点βの各座標値のうちの小さい値をそれぞれＸright及びＹupと定義する。そして、ＣＰＵ５１は、Ｘleft及びＸrightを対比し、ＸleftがＸrightよりも小さいか否かを判断する（Ｓ７０５）。
【０１７０】
ＸleftがＸrightよりも大きいと判断した場合（Ｓ７０５，Ｎｏ）、平坦度不良領域とインプリント予定領域とが重なっていないと判定し、後述するＳ７０８の処理に移行する。
【０１７１】
一方、ＸleftがＸrightよりも小さいと判断した場合（Ｓ７０５，Ｙｅｓ）、ＣＰＵ５１は、Ｙlow及びＹupを対比し、ＹlowがＹupよりも小さいか否かを判断する（Ｓ７０６）。ＹlowがＹupよりも大きいと判断した場合（Ｓ７０６，Ｎｏ）、平坦度不良領域とインプリント予定領域とが重なっていないと判定し、後述するＳ７０８の処理に移行する。
【０１７２】
一方、ＹlowがＹupよりも小さいと判断した場合（Ｓ７０６，Ｙｅｓ）、ＣＰＵ５１は、インプリント予定領域に含まれる複数の転写予定領域のうち、平坦度不良領域と重なっている転写予定領域（重なり転写予定領域）を特定し、補助記憶部５３に記憶する（Ｓ７０７）。
【０１７３】
続いて、ＣＰＵ５１は、インプリント予定領域との重なりの有無を判定していない他の平坦度不良領域データが補助記憶部５３に記憶されているか否かを判断し（Ｓ７０８）、他の平坦度不良領域データが記憶されていると判断した場合には（Ｓ７０８，Ｙｅｓ）、上記Ｓ７０５〜Ｓ７０７の処理を再度行い、他の平坦度不良領域データが記憶されていないと判断した場合には（Ｓ７０８，Ｎｏ）、上記Ｓ７０７において重なり転写予定領域が特定されているか否かを判断する（Ｓ７０９）。
【０１７４】
重なり転写予定領域が特定されていないと判断した場合（Ｓ７０９，Ｎｏ）、ＣＰＵ５１は、基板ＩＤと、収納場所データと、インプリント処理条件データとを関連付けて被転写基板ＤＢ５６に格納し（Ｓ７１０）、後述するＳ９０１の処理に移行する。
【０１７５】
一方、重なり転写予定領域が特定されていると判断した場合（Ｓ７０９，Ｙｅｓ）、ＣＰＵ５１は、すべての交点における重なり判定処理を行ったか否かを判断し（Ｓ７１１）、すべての交点における重なり判定処理を行っていないと判断した場合（Ｓ７１１，Ｎｏ）、上記Ｓ７０４〜Ｓ７０９の処理を再度行う。
【０１７６】
すべての交点における重なり判定処理を行ったと判断した場合（Ｓ７１１，Ｙｅｓ）、ＣＰＵ５１は、基板ＩＤと、収納場所データと、重なり転写予定領域データと、インプリント処理条件データとを関連付けて被転写候補基板ＤＢ５７に格納する（Ｓ７１２）。
【０１７７】
＜インプリント用基板選択処理−一部移動（表面のみ）＞
上記Ｓ４０１にて裏面使用不可と判断した後、図２１に示すように、ＣＰＵ５１は、補助記憶部５３に記憶されている一部移動関連条件データを取得し、インプリント予定領域に含まれる一部の転写予定領域を基板に対して相対的に移動させた状態でのインプリント処理が可能であるか否かを判断する（Ｓ８０１）。
【０１７８】
一部移動不可と判断された場合（Ｓ８０１，Ｎｏ）、続いての処理（図２４）に移行する。一方、一部移動可能と判断された場合（Ｓ８０１，Ｙｅｓ）、ＣＰＵ５１は、基板上の転写許可領域内であって、インプリント予定領域以外の領域に、転写予定領域と同一の大きさを有する少なくとも１つの移動予定領域からなる移動予定領域群を設定することができるか否かを判断する（Ｓ８０２）。具体的には、基板の中心とインプリント予定領域の中心とを一致させるようにして基板上にインプリント予定領域を設定したときに、インプリント予定領域の外周における基板上の転写許可領域内に、移動予定領域を配列可能であるか否かを判断する。
【０１７９】
移動予定領域群の設定が不可能であると判断した場合（Ｓ８０２，Ｎｏ）、続いての処理（図２４）に移行する。一方、移動予定領域の設定が可能であると判断した場合（Ｓ８０２，Ｙｅｓ）、図２６に示すように、インプリント予定領域の外周における基板上の転写許可領域内に、移動予定領域群を設定し、各移動予定領域の対角に位置する二点（左下角、右上角）のＸ座標値及びＹ座標値を補助記憶部５３に記憶する（Ｓ８０３）。
【０１８０】
次に、ＣＰＵ５１は、基板上の平坦度不良領域と移動予定領域群に含まれる各移動予定領域とが重なるか否かを判断する（Ｓ８０４）。なお、平坦度不良領域と各移動予定領域との重なりの判定は、例えば、図１３に示すＳ００４〜Ｓ００６と同様にして行うことができる。
【０１８１】
基板上の平坦度不良領域と移動予定領域とが重なると判断した場合（Ｓ８０４，Ｙｅｓ）、移動予定領域群に含まれる各移動予定領域のうち、基板上の平坦度不良領域と重なる移動予定領域（重なり移動予定領域）を特定し（Ｓ８０５）、移動予定領域群に含まれる移動予定領域の数から重なり移動予定領域の数を減算し、平坦度不良領域と重ならない移動予定領域（非重なり移動予定領域）の数を算出する（Ｓ８０６）。そして、上記Ｓ００７にて特定された重なり転写予定領域の数が、非重なり移動予定領域数以下であるか否かを判断する（Ｓ８０７）。
【０１８２】
一方、基板上の平坦度不良領域と移動予定領域とが重ならないと判断した場合（Ｓ８０４，Ｎｏ）、移動予定領域群に含まれる移動予定領域の数を非重なり移動予定領域数とし、上記Ｓ００７にて特定された重なり転写予定領域の数が、非重なり移動予定領域数以下であるか否かを判断する（Ｓ８０７）。
【０１８３】
上記Ｓ００７にて特定された重なり転写予定領域の数が、非重なり移動予定領域数以下である（重なり転写予定領域数≦非重なり移動予定領域数）と判断された場合（Ｓ８０７，Ｙｅｓ）、ＣＰＵ５１は、上記Ｓ００７にて特定された重なり転写予定領域の数の非重なり移動予定領域を任意に選択し、選択された非重なり移動予定領域を新たな転写予定領域とするとともに、上記Ｓ００７にて特定された重なり転写予定領域を転写予定領域としない新たなインプリント予定領域（図２７参照）に関するデータを生成し（Ｓ８０８）、基板ＩＤと、収納場所データと、Ｓ８０８にて生成された新インプリント予定領域データとを関連付けて被転写基板ＤＢ５６に格納し（Ｓ８０９）、後述するＳ９０１の処理に移行する。
【０１８４】
一方、上記Ｓ００７にて特定された重なり転写予定領域の数が、非重なり移動予定領域数を超える（重なり転写予定領域数＞非重なり移動予定領域数）と判断された場合（Ｓ８０７，Ｎｏ）、ＣＰＵ５１は、非重なり移動予定領域数と同数の重なり転写予定領域を任意に選択し、非重なり転写予定領域を新たな転写予定領域とするとともに、選択された重なり転写予定領域を転写予定領域としない新たなインプリント予定領域に関するデータを生成し（Ｓ８１０）、基板ＩＤと、収納場所データと、選択されなかった重なり転写予定領域に関するデータ（非選択重なり転写予定領域データ）と、Ｓ８１０にて生成された新インプリント予定領域データとを関連付けて被転写候補基板ＤＢ５７に格納する（Ｓ８１１）。
【０１８５】
＜インプリント用基板選択処理−一部移動（表面・裏面）＞
上記Ｓ６０１にて移動不可と判断した後、又は上記Ｓ７１２にて基板ＩＤと収納場所データと重なり転写予定領域データとインプリント処理条件データとを関連付けて被転写候補基板ＤＢ５７に格納した後、図２２に示すように、ＣＰＵ５１は、補助記憶部５３に記憶されている一部移動関連条件データを取得し、インプリント予定領域に含まれる一部の転写予定領域を基板に対して相対的に移動させた状態でのインプリント処理が可能であるか否かを判断する（Ｓ８２１）。
【０１８６】
一部移動不可と判断された場合（Ｓ８２１，Ｎｏ）、続いての処理（図２４）に移行する。一方、一部移動可能と判断された場合（Ｓ８２１，Ｙｅｓ）、ＣＰＵ５１は、基板上の転写許可領域内であって、インプリント予定領域以外の領域に、転写予定領域と同一の大きさを有する少なくとも１つの移動予定領域からなる移動予定領域群を設定することができるか否かを判断する（Ｓ８２２）。具体的には、基板の中心とインプリント予定領域の中心とを一致させるようにして基板上にインプリント予定領域を設定したときに、インプリント予定領域の外周における基板上の転写許可領域内に、移動予定領域を配列可能であるか否かを判断する。
【０１８７】
移動予定領域群の設定が不可能であると判断した場合（Ｓ８２２，Ｎｏ）、続いての処理（図２４）に移行する。一方、移動予定領域の設定が可能であると判断した場合（Ｓ８２２，Ｙｅｓ）、ＣＰＵ５１は、図２６に示すように、インプリント予定領域の外周における基板の表面上の転写許可領域内に、移動予定領域群を設定し、各移動予定領域の対角に位置する二点（左下角、右上角）のＸ座標値及びＹ座標値を補助記憶部５３に記憶する（Ｓ８２３）。
【０１８８】
次に、ＣＰＵ５１は、基板の表面上の平坦度不良領域と移動予定領域群に含まれる各移動予定領域とが重なるか否かを判断する（Ｓ８２４）。なお、平坦度不良領域と各移動予定領域との重なりの判定は、例えば、図１３に示すＳ００４〜Ｓ００６と同様にして行うことができる。
【０１８９】
基板の表面上の平坦度不良領域と移動予定領域群に含まれる各移動予定領域とが重なると判断した場合（Ｓ８２４，Ｙｅｓ）、移動予定領域群に含まれる各移動予定領域のうち、基板の表面上の平坦度不良領域と重なる移動予定領域（重なり移動予定領域）を特定し（Ｓ８２５）、移動予定領域群に含まれる移動予定領域の数から重なり移動予定領域の数を減算し、平坦度不良領域と重ならない移動予定領域（非重なり移動予定領域）の数を算出する（Ｓ８２６）。そして、上記Ｓ００７にて特定された重なり転写予定領域の数が、非重なり移動予定領域数以下であるか否かを判断する（Ｓ８２７）。
【０１９０】
一方、基板の表面上の平坦度不良領域と移動予定領域群に含まれる各移動予定領域とが重ならないと判断した場合（Ｓ８２４，Ｎｏ）、移動予定領域群に含まれる移動予定領域の数を非重なり移動予定領域数とし、上記Ｓ００７にて特定された重なり転写予定領域の数が、非重なり移動予定領域数以下であるか否かを判断する（Ｓ８２７）。
【０１９１】
上記Ｓ００７にて特定された重なり転写予定領域の数が、非重なり移動予定領域数以下である（重なり転写予定領域数≦非重なり移動予定領域数）と判断された場合（Ｓ８２７，Ｙｅｓ）、ＣＰＵ５１は、上記Ｓ００７にて特定された重なり転写予定領域の数の非重なり移動予定領域を任意に選択し、選択された非重なり移動予定領域を新たな転写予定領域とするとともに、上記Ｓ００７にて特定された重なり転写予定領域を転写予定領域としない新たなインプリント予定領域（図２７参照）に関するデータを生成し（Ｓ８２８）、基板ＩＤと、収納場所データと、Ｓ８２８にて生成された新インプリント予定領域データとを関連付けて被転写基板ＤＢ５６に格納し（Ｓ８２９）、後述するＳ９０１の処理に移行する。
【０１９２】
一方、上記Ｓ００７にて特定された重なり転写予定領域の数が、非重なり移動予定領域数を超える（重なり転写予定領域数＞非重なり移動予定領域数）と判断された場合（Ｓ８２７，Ｎｏ）、ＣＰＵ５１は、重なり転写予定領域数から非重なり移動予定領域数を減算して新たな重なり転写予定領域数に関するデータを補助記憶部５３に記憶する（Ｓ８３０）。
【０１９３】
次に、ＣＰＵ５１は、インプリント予定領域の外周における基板の裏面上の転写許可領域内に移動予定領域群を設定し、各移動予定領域の対角に位置する二点（左下角、右上角）のＸ座標値及びＹ座標値を補助記憶部５３に記憶する（Ｓ８３１）。
【０１９４】
続いて、図２３に示すように、ＣＰＵ５１は、基板の裏面上の平坦度不良領域と移動予定領域群に含まれる各移動予定領域とが重なるか否かを判断する（Ｓ８３２）。なお、平坦度不良領域と各移動予定領域との重なりの判定は、例えば、図１７に示すＳ４０４〜Ｓ４０６と同様にして行うことができる。
【０１９５】
基板の裏面上の平坦度不良領域と移動予定領域群に含まれる各移動予定領域とが重なると判断した場合（Ｓ８３２，Ｙｅｓ）、移動予定領域群に含まれる各移動予定領域のうち、基板の表面上の平坦度不良領域と重なる移動予定領域（重なり移動予定領域）を特定し（Ｓ８３３）、移動予定領域群に含まれる移動予定領域の数から重なり移動予定領域の数を減算し、平坦度不良領域と重ならない移動予定領域（非重なり移動予定領域）の数を算出する（Ｓ８３４）。そして、上記Ｓ４０７にて特定された重なり転写予定領域の数が、非重なり移動予定領域数以下であるか否かを判断する（Ｓ８３５）。
【０１９６】
一方、基板の裏面上の平坦度不良領域と移動予定領域群に含まれる各移動予定領域とが重ならないと判断した場合（Ｓ８３２，Ｎｏ）、移動予定領域群に含まれる移動予定領域の数を非重なり移動予定領域数とし、上記Ｓ４０７にて特定された重なり転写予定領域の数が、非重なり移動予定領域数以下であるか否かを判断する（Ｓ８３５）。
【０１９７】
上記Ｓ４０７にて特定された重なり転写予定領域の数が、非重なり移動予定領域数以下である（重なり転写予定領域数≦非重なり移動予定領域数）と判断された場合（Ｓ８３５，Ｙｅｓ）、ＣＰＵ５１は、上記Ｓ４０７にて特定された重なり転写予定領域の数の非重なり移動予定領域を任意に選択し、選択された非重なり移動予定領域を新たな転写予定領域とするとともに、上記Ｓ４０７にて特定された重なり転写予定領域を転写予定領域としない新たなインプリント予定領域（図２７参照）に関するデータを生成し（Ｓ８２８）、基板ＩＤと、収納場所データと、Ｓ８２８にて生成された新インプリント予定領域データとを関連付けて被転写基板ＤＢ５６に格納し（Ｓ８２９）、後述するＳ９０１の処理に移行する。
【０１９８】
一方、上記Ｓ４０７にて特定された重なり転写予定領域の数が、非重なり移動予定領域数を超える（重なり転写予定領域数＞非重なり移動予定領域数）と判断された場合（Ｓ８３５，Ｎｏ）、ＣＰＵ５１は、重なり転写予定領域数から非重なり移動予定領域数を減算して新たな重なり転写予定領域数に関するデータを補助記憶部５３に記憶する（Ｓ８３６）。
【０１９９】
その後、ＣＰＵ５１は、補助記憶部５３に記憶されている表面及び裏面の新重なり転写予定領域数データに基づいて、表面の新重なり転写予定領域数が、裏面の新重なり転写予定領域数以下であるか否かを判断する（Ｓ８３７）。
【０２００】
表面の新重なり転写予定領域数が、裏面の新重なり転写予定領域数以下であると判断した場合（Ｓ８３７，Ｙｅｓ）、ＣＰＵ５１は、表面の非重なり移動予定領域数と同数の重なり転写予定領域を任意に選択し、当該表面の非重なり移動予定領域を新たな転写予定領域とするとともに、選択された重なり転写予定領域を転写予定領域としない新たなインプリント予定領域に関するデータを生成し（Ｓ８３８）、基板ＩＤと、収納場所データと、選択されなかった重なり転写予定領域に関するデータ（非選択重なり転写予定領域データ）と、Ｓ８３８にて生成された表面の新インプリント予定領域データとを関連付けて被転写候補基板ＤＢ５７に格納する（Ｓ８３９）。
【０２０１】
一方、表面の新重なり転写予定領域数が、裏面の新重なり転写予定領域数を超える場合（Ｓ８３７，Ｎｏ）、ＣＰＵ５１は、裏面の非重なり移動予定領域数と同数の重なり転写予定領域を任意に選択し、当該裏面の非重なり移動予定領域を新たな転写予定領域とするとともに、選択された重なり転写予定領域を転写予定領域としない新たなインプリント予定領域に関するデータを生成し（Ｓ８４０）、基板ＩＤと、収納場所データと、選択されなかった重なり転写予定領域に関するデータ（非選択重なり転写予定領域データ）と、Ｓ８４０にて生成された裏面の新インプリント予定領域データとを関連付けて被転写候補基板ＤＢ５７に格納する（Ｓ８４１）。
【０２０２】
＜インプリント用基板選択処理−基板選択・優先順位付与＞
上述した重なり判定処理（図１３〜２３）において各種データを被転写基板ＤＢ５６に格納した後（Ｓ００３，Ｓ１０９，Ｓ２１１，Ｓ３１０，Ｓ４０３，Ｓ５０９，Ｓ６１１，Ｓ７１０，Ｓ８０９，Ｓ８２９）、図２４に示すように、ＣＰＵ５１は、被転写基板ＤＢ５６に格納された基板に関するデータを基板ＤＢ５５から削除し（Ｓ９０１）、補助記憶部５３に記憶されている基板枚数データに基づいて、基板枚数から１を減算する処理を行い、当該基板枚数データを更新する（Ｓ９０２）。また、補助記憶部５３に記憶されている製造予定デバイス数データ（Ｎ個）に基づいて、当該製造予定デバイス数から一枚の基板に対する転写回数（Ｍ回，インプリント予定領域に含まれる転写予定領域数）を減算する処理を行い、製造予定デバイス数データ（Ｎ−Ｍ個）を更新する（Ｓ９０２）。
【０２０３】
続いて、補助記憶部５３に記憶されている製造予定デバイス数データに基づいて、製造予定デバイス数が０個になったか否かを判断し（Ｓ９０３）、製造予定デバイス数が０個になった場合（Ｓ９０３，Ｙｅｓ）、被転写候補基板ＤＢ５７に格納されている基板に関するデータをすべて削除し、インプリント用基板選択処理を終了する。
【０２０４】
上述した重なり判定処理（図１３〜２３）において各種データが被転写候補基板ＤＢ５７に格納された場合（Ｓ０１０，Ｓ１１０，Ｓ２１３，Ｓ３１２、Ｓ４１０，Ｓ５１０，Ｓ６１３，Ｓ７１２，Ｓ８１１，Ｓ８３９，Ｓ８４１）、補助記憶部５３に記憶されている基板枚数データに基づいて、基板枚数から１を減算する処理を行い、当該基板枚数データを更新する（Ｓ９０４）。
【０２０５】
上記Ｓ９０３において製造予定デバイス数が０個になっていないと判断した場合（Ｓ９０３，Ｎｏ）又は上記Ｓ９０４において基板枚数データを更新した後、補助記憶部５３に記憶されている基板枚数データに基づいて、基板枚数が０枚になったか否かを判断する（Ｓ９０５）。
【０２０６】
基板枚数が０枚になっていない（すなわち、基板ＤＢ５５に上記重なり判定処理（図１３〜２３）を行っていない基板データが存在する）と判断した場合（Ｓ９０５，Ｎｏ）、基板ＤＢ５５に格納されている一の基板の平坦度データを取得し、インプリント用基板選択処理における基板の平坦度不良領域とインプリント予定領域との重なりの有無を判定する処理を再度行う（図１３〜２３参照）。
【０２０７】
一方、基板枚数が０枚になった（すなわち、基板ＤＢ５５に上記重なり判定処理（図１３〜２３）を行っていない基板データが存在しない）と判断した場合（Ｓ９０５，Ｙｅｓ）、被転写候補基板ＤＢ５７に基板に関するデータが格納されているか否かを判断する（Ｓ９０６）。
【０２０８】
被転写候補基板ＤＢ５７に基板に関するデータが格納されていないと判断した場合（Ｓ９０６，Ｎｏ）、インプリント用基板選択処理を終了する。一方、被転写候補基板ＤＢ５７に基板に関するデータが格納されていると判断した場合（Ｓ９０６，Ｙｅｓ）、被転写候補基板ＤＢ５７に格納された重なり転写予定領域数を基準として、被転写候補基板ＤＢ５７に格納されている基板に関するデータをソートする（Ｓ９０７）。次に、当該重なり転写予定領域数の小さい順に整列した基板に対し、その順に優先順位データを付与し、当該優先順位データを基板ＩＤと関連付けて格納する（Ｓ９０８）。
【０２０９】
続いて、ＣＰＵ５１は、被転写候補基板ＤＢ５７に格納されている基板に関するデータの中から、優先順位が最小の基板の重なり転写予定領域数に関するデータを取得するとともに、補助記憶部５３に記憶されている製造予定デバイス数に関するデータを取得する（Ｓ９０９）。そして、ＣＰＵ５１は、インプリント予定領域に含まれる転写予定領域数から重なり転写予定領域数を減算して転写領域数を算出し、当該転写領域数が、製造予定デバイス数以下であるか否かを判断する（Ｓ９１０）。
【０２１０】
転写領域数が製造予定デバイス数以下であると判断した場合（Ｓ９１０，Ｙｅｓ）、ＣＰＵ５１は、当該優先順位が最小の基板に関するデータ（基板ＩＤ、収容場所データ及びインプリント処理条件データ）を被転写基板ＤＢ５６に移動するとともに（Ｓ９１１）、当該基板に関するデータを被転写候補基板ＤＢ５７及び基板ＤＢ５５から削除し（Ｓ９１２）、製造予定デバイス数から転写領域数を減算し、補助記憶部５３に記憶されている製造予定デバイス数データを更新する（Ｓ９１３）。
【０２１１】
そして、ＣＰＵ５１は、上記Ｓ９１３にて更新された製造予定デバイス数が０であるか否かを判断する（Ｓ９１４）。更新された製造予定デバイス数が０であると判断した場合（Ｓ９１４，Ｙｅｓ）、ＣＰＵ５１は、被転写候補基板ＤＢ５７に格納されている基板に関するデータをすべて削除し、インプリント用基板選択処理を終了する。
【０２１２】
一方、更新された製造予定数が０でないと判断した場合（Ｓ９１４，Ｎｏ）、ＣＰＵ５１は、被転写候補基板ＤＢ５７に基板に関するデータが格納されているか否かを判断し（Ｓ９１５）、被転写候補基板ＤＢ５７に基板に関するデータが格納されていると判断した場合（Ｓ９１５，Ｙｅｓ）、上記Ｓ９０９以降の処理を行い、被転写候補基板ＤＢ５７に基板に関するデータが格納されていないと判断した場合（Ｓ９１５，Ｎｏ）、インプリント用基板選択処理を終了する。
【０２１３】
転写領域数が製造予定デバイス数よりも大きいと判断した場合（Ｓ９１０，Ｎｏ）、ＣＰＵ５１は、製造予定デバイス数と同数の転写領域を有するインプリント領域に関するデータを生成する（Ｓ９１６）。
【０２１４】
当該インプリント領域は、例えば、当初のインプリント予定領域が図３に示すように１０行×１０列であって、その左上から右下に向かって転写位置を変えながら転写されるものである場合、製造予定デバイス数が８０個であるのに対し基板上の平坦度不良領域と重ならない転写予定領域が９０個であれば、それらの差分（１０個）をインプリント予定領域の右下から順に減じた領域をインプリント領域として設定することができる。
【０２１５】
上記Ｓ９１６にてインプリント領域に関するデータを生成した後、ＣＰＵ５１は、当該インプリント領域に関するデータと、当該基板に関するデータとを関連付けて被転写基板ＤＢ５６に格納し（Ｓ９１７）、その後、被転写候補基板ＤＢ５７に格納されている基板に関するデータをすべて削除し（Ｓ９１８）、インプリント用基板選択処理を終了する。
【０２１６】
＜インプリント処理＞
続いて、インプリント用基板選択処理により選択された基板の搬送処理及び当該基板に対するインプリント処理を行う。
【０２１７】
図２５に示すように、制御装置５（ＣＰＵ５１）は、被転写基板ＤＢ５６に格納された基板に関するデータの中から当該被転写基板ＤＢ５６に最初に格納されたデータを取得し（ＳＣ１０１）、当該基板に関するデータを、通信部５４を介して基板搬送装置４に送信する（ＳＣ１０２）。基板搬送装置４は、制御装置５から送信された当該基板に関するデータを受信し（ＳＴ１０１）、当該基板の収納場所データに基づいて、選択された基板を基板収納部２から取り出し（ＳＴ１０２）、当該基板をインプリント装置３に搬送し、インプリント装置３の基板ステージに載置する（ＳＴ１０３）。基板搬送装置４は、基板の搬送・載置処理が完了したら、搬送・載置処理が完了した旨の信号を制御装置５に送信する（ＳＴ１０４）。
【０２１８】
制御装置５は、基板搬送装置４から送信された当該信号を受信し（ＳＣ１０３）、上記ＳＣ１０２において基板搬送装置４に送信した基板に関するデータをインプリント装置３に送信する（ＳＣ１０４）。
【０２１９】
基板搬送装置４により基板が搬送・載置されたインプリント装置３は、制御装置５から送信された当該基板に関するデータを受信し（ＳＩ１０１）、当該基板のインプリント処理条件データに基づいて、インプリント処理を行う（ＳＩ１０２）。例えば、インプリント処理条件データに、基板を回転させた状態で表面に転写するという内容のデータが含まれている場合、インプリント装置３は、基板搬送装置４により基板が載置された基板ステージを回転させた後、基板の所定の位置に樹脂（例えば、エネルギー線硬化性樹脂、熱硬化性樹脂、熱可塑性樹脂等のインプリント処理に用いられ得る樹脂）を塗布し、インプリント用モールドを押し付けることにより当該樹脂を押し広げ、インプリント用モールドの凹凸パターンを当該樹脂に転写する。そして、当該樹脂を硬化させた後に、インプリント用モールドを剥がし、インプリント予定領域の他のすべての転写予定領域にインプリント処理を行う。すべての転写予定領域に対するインプリント処理が終了した後、インプリント装置３は、制御装置５にインプリント処理が終了した旨の信号を送信し（ＳＩ１０３）、制御装置５は、当該信号を受信する（ＳＣ１０５）。当該信号を受信した制御装置５は、被転写基板ＤＢ５６に格納されている次の基板に関するデータを取得し、基板搬送装置４に送信する。このようにして、被転写基板ＤＢ５６にデータが格納されている全基板に対するインプリント処理を繰り返し行う。
【０２２０】
上述したように、本実施形態に係るインプリントシステム１においては、インプリント用基板選択処理により選択された基板の表面又は裏面の平坦度が良好な部分にのみインプリント用モールドの凹凸パターンが転写され、基板の表面又は裏面の平坦度が不良の部分には転写されないため、当該基板上に塗布された樹脂を、インプリント用モールドの押し付けにより押し広げる際に、当該樹脂の広がりが停滞するのを防止することができるとともに、インプリント用モールドにかかる圧力を略均一にすることができる。その結果、樹脂の広がりにムラが生じたり、モールド凹部への樹脂の充填不良が生じたりするのを防止することができる。したがって、基板への高精度な転写が可能となり、転写された凹凸パターンの高さが基板内でばらつく等の転写欠陥が生じるのを防止することができ、その結果として、インプリント処理のスループットを向上させることができる。
【０２２１】
以上説明した実施形態は、本発明の理解を容易にするために記載されたものであって、本発明を限定するために記載されたものではない。したがって、上記実施形態に開示された各要素は、本発明の技術的範囲に属する全ての設計変更や均等物をも含む趣旨である。
【０２２２】
上記実施形態においては、基板の平坦度データとして平坦度不良領域の座標データが基板ＤＢ５５に格納されているが、本発明はこれに限定されるものではなく、例えば、平坦度の良好な領域（所定の平坦度測定装置を用いて基板の表面（又は裏面）の平坦度を測定・解析したときにおける所定の平坦度（例えば、１０ｎｍ未満）の領域）の座標データが基板データベース５５に格納されていてもよいし、平坦度の最悪な領域（所定の平坦度測定装置を用いて基板の被転写面（又は裏面）の平坦度を測定・解析したときにおける所定の平坦度（例えば、１０ｎｍ以上）の領域）の座標データと平坦度の好ましくない領域（所定の平坦度測定装置を用いて基板の被転写面（又は裏面）の平坦度を測定・解析したときにおける所定の平坦度（例えば、５ｎｍ以上１０ｎｍ未満）の領域)の座標データとが基板データベース５５に格納されていてもよい。前者の場合、転写予定領域が平坦度の良好な領域内に含まれているか否かを判断し、含まれていると判断された基板をインプリント処理に適した基板として選択すればよい。また、後者の場合、平坦度の最悪な領域とインプリント予定領域とが重なっているか否かを判断するとともに、平坦度の好ましくない領域とインプリント予定領域とが重なっているか否かを判断し、いずれも重なっていないと判断された基板をインプリント処理に適した基板として選択するようにしてもよいし、平坦度の好ましくない領域とインプリント予定領域とは重なっているが、平坦度の最悪な領域とインプリント予定領域とが重なっていないと判断された基板もインプリント処理に適した基板として選択するようにしてもよい。
【０２２３】
上記実施形態においては、基板の形状が矩形状のものを例示して説明したが（図３参照）、本発明はこれに限定されるものではなく、例えば、図２８に示すように、円形の基板であってもよい。この場合において、図２８に示すように、インプリント予定領域を多角形の領域として設定したときには、インプリント予定領域と平坦度不良領域との重なりを判定するにあたり、インプリント予定領域を複数の矩形領域に分割し、各矩形領域と平坦度不良領域との重なりの有無を判定すればよい。
【０２２４】
上記実施形態においては、平坦度不良領域を矩形の枠で囲んだ領域として規定しているが、本発明はこれに限定されるものではなく、例えば、平坦度不良領域を円形又は楕円形の枠で囲んだ領域として規定してもよいし、多角形の枠で囲んだ領域として規定してもよい。前者の場合、円形又は楕円形により表される平坦度不良領域を数式にて定義し、インプリント予定領域を表す点α及び点βの座標データを当該数式に代入して点α及び点βのいずれかが平坦度不良領域内に位置するか否かを判定することにより、平坦度不良領域とインプリント予定領域とが重なっているか否かを判断すればよい。また、後者の場合、多角形により表される平坦度不良領域を分割して複数の矩形により規定した上で、各矩形により表される平坦度不良領域とインプリント予定領域とが重なっているか否かを判断すればよい。
【０２２５】
上記実施形態においては、インプリント用基板選択処理が終了した後にインプリント処理が行われるが、本発明はこれに限定されるものではなく、インプリント用基板選択処理と平行してインプリント処理が行われてもよい。この場合において、被転写基板データベース５７に基板に関するデータが格納されたときに、それを引き金としてインプリント処理を開始するようにすればよい。
【０２２６】
上記実施形態においては、インプリント処理条件データをインプリント装置３に送信し、当該インプリント処理条件データに基づいてインプリント装置３の基板ステージに載置された基板を回転させているが、本発明はこれに限定されるものではなく、基板を予め回転させた上で、インプリント装置３の基板ステージに基板を載置してもよい。この場合において、制御装置５は、基板搬送装置４にインプリント処理条件データを送信し、そのデータに基づいて、基板搬送装置４は基板収納部２から取り出した基板を予め回転させてインプリント装置３の基板ステージに載置すればよく、インプリント装置３は、基板ステージやインプリント用モールドを保持する保持部を回転させることなくインプリント処理を行えばよい。
【０２２７】
上記実施形態においては、インプリント予定領域と平坦度不良領域とが重なるか否かについて、基板の表面における通常転写位置にて判定した後（図１３参照）、インプリント予定領域を基板に対して相対的に回転させた状態にて判定し（図１４参照）、インプリント予定領域を基板に対して相対的に移動させた状態にて判定し（図１５参照）、次にインプリント予定領域を基板に対して相対的に回転させた状態にて移動させて判定し（図１６参照）、その後基板の裏面に関しても同様の順序にて判定しているが（図１７〜２０参照）、本発明における両領域が重なるか否かの判定処理の順序は、この態様に限定されるものではない。また、重なり判定処理（図１３〜２０）のすべてを行わなくてもよく、２以上の重なり判定処理を任意に組み合わせて行うこともできるが、少なくとも基板の表面の通常転写位置における重なり判定処理（図１３）を行うのが望ましい。
【０２２８】
上記実施形態においては、インプリント予定領域に多数（例えば、図３に示すように１００個（１０行×１０列））の転写予定領域が含まれているが、本発明はこのような態様に限定されるものではなく、インプリント用モールドの凹凸形状が、転写位置を変えて一の基板に少なくとも２回転写されるインプリントシステムである限り適用することができる。
【０２２９】
上記実施形態においては、平坦度不良領域と重ならない転写予定領域の数に応じて優先順位が付与された基板（基板データ）の中から一の基板を選択する際に、当該選択基板における転写予定領域数が、残りの製造予定デバイス数よりも大きいときに、選択された基板において新たなインプリント領域（残りの製造予定デバイス数と同数の転写領域を有する領域）を設定し、インプリント処理に付しているが、本発明はこのような態様に限定されるものではない。例えば、平坦度不良領域とインプリント予定領域とが重ならない基板をすべて選択した後に、更新された製造予定デバイス数が０でない場合に、当該製造予定デバイス数と、被転写候補基板ＤＢ５７に格納されている各基板データにおける平坦度不良領域と重ならない転写予定領域数とに基づいて、被転写候補基板ＤＢ５７に格納されている基板データを選択するようにしてもよい。具体的には、平坦度不良領域とインプリント予定領域とが重ならない基板をすべて選択した後に、更新された製造予定デバイス数が２００個であって、平坦度不良領域と重ならない転写予定領域数（製造可能デバイス数）が、９８個、９７個、８０個、７０個、５２個である基板データが被転写候補基板ＤＢ５７に格納されている場合、当該製造可能デバイス数が８０個、７０個及び５２個の基板を選択し、インプリント処理に付するようにしてもよい。製造可能デバイス数の大きい基板から優先的に選択するとなると、上記の例であれば、製造可能デバイス数９８個、９７個及び８０個の基板を選択することになる。しかし、このようにして選択すると、最後に選択される基板からは、８０個のデバイスが製造可能であるにもかかわらず、７５個のデバイスは不要となり、基板を無駄にしてしまう。しかしながら、上記のような態様とすることで、２個のデバイスのみが不要となるため、より無駄のないように基板を選択することができる。
【０２３０】
上記実施形態においては、平坦度不良領域と重ならない転写予定領域の数に応じて優先順位が付与された基板（基板データ）の中から一の基板を選択する際に、当該選択基板における転写予定領域数が、残りの製造予定デバイス数よりも大きいときに、無駄なデバイスを製造しないように、選択された基板において新たなインプリント領域（残りの製造予定デバイス数と同数の転写領域を有する領域）を設定しているが、本発明はこのような態様に限定されるものではない。例えば、被転写候補基板ＤＢ５７に格納された基板（基板データ）の中から一の基板を選択する際に、当該選択基板における転写予定領域数が、残りの製造予定デバイス数よりも大きいときであっても、当該選択基板における転写予定領域のすべてにインプリント用モールドの凹凸形状を転写してもよい。
【０２３１】
上記実施形態において、各重なり判定処理（図１３〜２０）が終了した後に、一部の転写予定領域（平坦度不良領域と重なる転写予定領域）を基板に対して相対的に移動させて、インプリント予定領域に含まれる転写予定領域数と同回数の転写が可能であるか否かを判断しているが（図２１〜２３参照）、本発明はこのような態様に限定されるものではなく、例えば、基板の表面についての重なり判定処理（図１３〜１６）の終了後に、当該表面について一部の転写予定領域を基板に対して相対的に移動させて、インプリント予定領域に含まれる転写予定領域数と同回数の転写が可能であるか否かを判断し、その後基板の裏面についての重なり判定処理（図１７〜２０）を行い、最後に基板の裏面について一部の転写予定領域を基板に対して相対的に移動させて、インプリント予定領域に含まれる転写予定領域数と同回数の転写が可能であるか否かを判断してもよい。また、半導体チップの製造等の場合、基板上に隙間なく転写予定領域を敷き詰めてなるインプリント予定領域を設定してインプリント処理を行うのが通常である。そのため、当該インプリント予定領域を基板に対して相対的に回転させたり、移動させたりしても（図１４〜１６、図１８〜２０参照）、インプリント予定領域と転写予定領域とが重ならないようにすることは困難であると考えられる。よって、このような場合には、基板の表面及び裏面における通常転写位置での重なり判定処理（図１３及び図１７）と、当該基板の表面及び所望により裏面において、一部の転写予定領域（平坦度不良領域と重なる転写予定領域）を基板に対して相対的に移動させて、インプリント予定領域に含まれる転写予定領域数と同回数の転写が可能であるか否かを判断する処理（図２１〜２３）とを行い、図１４〜１６及び図１８〜２０に示す重なり判定処理を行わなくてもよい。
【０２３２】
上記実施形態において、平坦度不良領域と重なる転写予定領域のみを基板に対して相対的に移動させたときに、インプリント予定領域に含まれる転写予定領域数と同回数の転写が可能であるか否かを判断しているが（図２１〜２３参照）、本発明はこのような態様に限定されるものではなく、例えば、平坦度不良領域と重なる転写予定領域を含む１行（１列）又は２行（２列）以上の転写予定領域を基板に対して相対的に移動させたときに、インプリント予定領域に含まれる転写予定領域数と同回数の転写が可能であるか否かを判断してもよい。
【０２３３】
上記実施形態においては、予め生成したインプリント条件データに基づいて、図１４〜２３に示す各重なり判定処理を行うことができるか否かをそれぞれ判断しているが（Ｓ１０１，Ｓ２０１，Ｓ３０１，Ｓ４０１，Ｓ５０１，Ｓ６０１，Ｓ７０１，Ｓ８０１，Ｓ８２１）、本発明はこのような態様に限定されるものではなく、当該インプリント条件データに基づいて、１以上の重なり判定処理を含む処理フローデータを予め生成し、当該処理フローデータに基づいて重なり判定処理を行ってもよい。例えば、図８（図９〜１２）に示すインプリント条件データ生成処理において、「回転不可」との回転関連条件データ、「移動可」との移動関連条件データ、「裏面不可」との裏面関連条件データ及び「一部移動可」との一部移動関連条件データが生成された場合、「（１）表面の通常転写位置における重なり判定処理（図１３参照）、（２）表面の移動における重なり判定処理（図１５参照）、（３）表面の一部移動における重なり判定処理（図２１参照）」というデータ内容を含む処理フローデータを生成し、当該処理フローデータに基づいてインプリント予定領域と辺端度不良領域との重なり判定等を行うことができる。
【産業上の利用可能性】
【０２３４】
本発明のインプリント用基板選択システムは、半導体製品等の製造過程におけるインプリント処理に適用することができる。
【符号の説明】
【０２３５】
１，１０…インプリントシステム
２…基板収納部
３…インプリント装置
４…基板搬送装置
５…制御装置
【図１】
0005953725.tif 000002
【図２】
0005953725.tif 000003
【図３】
0005953725.tif 000004
【図４】
0005953725.tif 000005
【図５】
0005953725.tif 000006
【図６】
0005953725.tif 000007
【図７】
0005953725.tif 000008
【図８】
0005953725.tif 000009
【図９】
0005953725.tif 000010
【図１０】
0005953725.tif 000011
【図１１】
0005953725.tif 000012
【図１２】
0005953725.tif 000013
【図１３】
0005953725.tif 000014
【図１４】
0005953725.tif 000015
【図１５】
0005953725.tif 000016
【図１６】
0005953725.tif 000017
【図１７】
0005953725.tif 000018
【図１８】
0005953725.tif 000019
【図１９】
0005953725.tif 000020
【図２０】
0005953725.tif 000021
【図２１】
0005953725.tif 000022
【図２２】
0005953725.tif 000023
【図２３】
0005953725.tif 000024
【図２４】
0005953725.tif 000025
【図２５】
0005953725.tif 000026
【図２６】
0005953725.tif 000027
【図２７】
0005953725.tif 000028
【図２８】
0005953725.tif 000029